(57)【要約】  広告配信システム１のサーバ装置３０は、端末装置５０の要求に応じてコンテンツデータをダウンロードさせるとともに、定期的に共有コンテンツ管理情報をダウンロードさせる。そして、サーバ装置３０は、故障前のサーバ記憶手段に記憶されていたコンテンツデータを新しいサーバ記憶手段に記憶させる復旧処理が必要であることを認識すると、端末装置５０に共有コンテンツ管理情報をアップロードさせ、この共有コンテンツ管理情報で特定されるコンテンツデータを端末装置５０から取得して新しいサーバ記憶手段に記憶させる。
2011039880.tif 000002
【特許請求の範囲】
【請求項１】
配信データを処理可能な複数のデータ処理装置にネットワークを介して接続され、配信側記憶手段に記憶された前記配信データを前記データ処理装置へ配信するデータ配信装置であって、
前記配信側記憶手段から前記配信データを取得して、前記データ処理装置へ配信する配信データ配信手段と、
前記配信側記憶手段に記憶されている前記配信データを特定可能な配信データ管理情報を前記データ処理装置へ配信する管理情報配信手段と、
前記配信側記憶手段または他の配信側記憶手段である復旧対象記憶手段に前記配信データ管理情報で特定可能な配信データを記憶させる必要があることを認識すると、前記データ処理装置から前記配信データ管理情報を取得する配信側管理情報取得手段と、
この配信側管理情報取得手段で取得した配信データ管理情報に基づき特定される前記配信データを前記データ処理装置から取得して、前記復旧対象記憶手段に記憶させる記憶制御手段と、
を具備したことを特徴とするデータ配信装置。
【請求項２】
請求項１に記載のデータ配信装置において、
前記復旧対象記憶手段における前記配信データの記憶状況に関する復旧状況情報を前記データ処理装置へ送信する復旧状況情報生成手段を具備し、
前記記憶制御手段は、前記復旧状況情報に基づいて、前記データ処理装置へ配信済みの前記配信データのうちの前記復旧対象記憶手段に記憶されていない前記配信データを前記データ処理装置から取得して、前記復旧対象記憶手段に記憶させる
ことを特徴とするデータ配信装置。
【請求項３】
請求項１に記載のデータ配信装置において、
前記復旧対象記憶手段に前記配信データを記憶させる必要があると認識する前に、前記配信データ管理情報で特定可能な前記配信データのうちの少なくともいずれか一つの前記配信データの送信を要求する送信対象情報を前記データ処理装置へ送信する送信対象情報送信手段を具備し、
前記記憶制御手段は、前記送信対象情報に基づき特定される前記配信データを前記データ処理装置から取得して、前記復旧対象記憶手段に記憶させる
ことを特徴とするデータ配信装置。
【請求項４】
請求項１に記載のデータ配信装置において、
前記復旧対象記憶手段に前記配信データを記憶させる必要があると認識した後に、前記データ処理装置から前記配信データ管理情報を取得して、この配信データ管理情報で特定可能な前記配信データのうちの少なくともいずれか一つの前記配信データの送信を要求する送信対象情報を前記データ処理装置へ送信する送信対象情報送信手段を具備し、
前記記憶制御手段は、前記送信対象情報に基づき特定される前記配信データを前記データ処理装置から取得して、前記復旧対象記憶手段に記憶させる
ことを特徴とするデータ配信装置。
【請求項５】
請求項３または請求項４に記載のデータ配信装置において、
前記配信データ配信手段は、前記複数のデータ処理装置のそれぞれに対して複数の所定個数の前記配信データを配信し、
前記送信対象情報送信手段は、前記複数のデータ処理装置に対して、前記所定個数未満の前記配信データの送信を要求するとともに当該要求に対応して前記所定個数の全ての配信データを前記記憶制御手段で取得可能な内容の前記送信対象情報を送信する
ことを特徴とするデータ配信装置。
【請求項６】
請求項１から請求項５のいずれかに記載のデータ配信装置において、
前記複数のデータ処理装置は、互いに異なる所定の前記配信データを処理対象とする複数のグループのうちの少なくともいずれか一つのグループに属し、
前記配信データ配信手段は、所定の前記グループに属する前記データ処理装置に対して当該グループでの処理対象の前記配信データのみを配信し、
前記管理情報配信手段は、前記配信側記憶手段に記憶されている全ての前記配信データと当該全ての配信データの配信先とを特定可能な前記配信データ管理情報を前記複数のデータ処理装置へ配信する
ことを特徴とするデータ配信装置。
【請求項７】
請求項１から請求項６のいずれかに記載のデータ配信装置において、
前記配信データは、画像データおよび音声データのうちの少なくともいずれか一方のデータを備えている
ことを特徴とするデータ配信装置。
【請求項８】
請求項７に記載のデータ配信装置において、
前記配信データは、前記データ処理装置における前記少なくともいずれか一方のデータの処理スケジュールデータを備えている
ことを特徴とするデータ配信装置。
【請求項９】
配信側記憶手段に記憶された配信データを配信可能なデータ配信装置にネットワークを介して接続され、前記配信データを処理するデータ処理装置であって、
前記データ配信装置から前記配信データを取得して、処理側記憶手段に記憶させる配信データ蓄積手段と、
前記データ配信装置から前記配信側記憶手段に記憶されている前記配信データを特定可能な配信データ管理情報を取得して、前記処理側記憶手段に記憶させる処理側管理情報取得手段と、
前記配信側記憶手段または他の配信側記憶手段である復旧対象記憶手段に前記配信データ管理情報で特定可能な配信データを記憶させる必要がある場合に、前記処理側記憶手段に記憶された前記配信データ管理情報を前記データ配信装置へ返信する配信データ返信手段と、
前記データ処理装置から前記復旧対象記憶手段における前記配信データの記憶状況に関する復旧状況情報を取得する復旧状況情報取得手段と、
前記復旧状況情報に基づいて、前記処理側記憶手段に記憶されている前記配信データのうちの前記復旧対象記憶手段に記憶されていない前記配信データを前記データ配信装置へ送信する復旧対応制御手段と、
を具備したことを特徴とするデータ処理装置。
【請求項１０】
配信データを処理可能な複数のデータ処理装置と、
この複数のデータ処理装置にネットワークを介して接続された請求項１に記載のデータ配信装置と、を具備したデータ処理システムであって、
前記データ処理装置は、
前記データ配信装置から前記配信データを取得して、処理側記憶手段に記憶させる配信データ蓄積手段と、
前記データ配信装置から前記配信データ管理情報を取得して、前記処理側記憶手段に記憶させる処理側管理情報取得手段と、
前記復旧対象記憶手段に前記配信データ管理情報で特定可能な配信データを記憶させる必要がある場合に、前記処理側記憶手段に記憶された前記配信データ管理情報を前記データ配信装置へ送信する配信データ返信手段と、
前記処理側記憶手段に記憶されている前記配信データを前記データ配信装置へ送信する復旧対応制御手段と、
を備えていることを特徴とするデータ処理システム。
【請求項１１】
複数の請求項９に記載のデータ処理装置と、
この複数のデータ処理装置にネットワークを介して接続された請求項２に記載のデータ配信装置と、
を具備したことを特徴とするデータ処理システム。
【請求項１２】
複数のデータ処理装置と、
この複数のデータ処理装置にネットワークを介して接続された請求項３から請求項５のいずれかに記載のデータ配信装置と、
を具備したデータ処理システムであって、
前記データ処理装置は、
前記データ配信装置から前記配信データを取得して、処理側記憶手段に記憶させる配信データ蓄積手段と、
前記データ配信装置から前記配信データ管理情報を取得して、前記処理側記憶手段に記憶させる処理側管理情報取得手段と、
前記復旧対象記憶手段に前記配信データ管理情報で特定可能な配信データを記憶させる必要がある場合に、前記処理側記憶手段に記憶された前記配信データ管理情報を前記データ配信装置へ送信する配信データ返信手段と、
前記データ配信装置から前記送信対象情報を取得して、この送信対象情報で要求されている前記配信データを前記データ配信装置へ送信する復旧対応制御手段と、
を備えていることを特徴とするデータ処理システム。
【請求項１３】
配信データを処理可能な複数のデータ処理装置にネットワークを介して接続されたコンピュータにより、配信側記憶手段に記憶された前記配信データを前記データ処理装置へ配信するデータ配信方法であって、
前記コンピュータは、
前記配信側記憶手段から前記配信データを取得して、前記データ処理装置へ配信する配信データ配信工程と、
前記配信側記憶手段に記憶されている前記配信データを特定可能な配信データ管理情報を前記データ処理装置へ配信する管理情報配信工程と、
前記配信側記憶手段または他の配信側記憶手段である復旧対象記憶手段に前記配信データ管理情報で特定可能な配信データを記憶させる必要があることを認識すると、前記データ処理装置から前記配信データ管理情報を取得する配信側管理情報取得工程と、
この配信側管理情報取得工程で取得した配信データ管理情報に基づき特定される前記配信データを前記データ処理装置から取得して、前記復旧対象記憶手段に記憶させる記憶制御工程と、
を実施することを特徴とするデータ配信方法。
【請求項１４】
配信側記憶手段に記憶された配信データを配信可能なデータ配信装置にネットワークを介して接続されたコンピュータにより、前記配信データを処理するデータ処理方法であって、
前記コンピュータは、
前記データ配信装置から前記配信データを取得して、処理側記憶手段に記憶させる配信データ蓄積工程と、
前記データ配信装置から前記配信側記憶手段に記憶されている前記配信データを特定可能な配信データ管理情報を取得して、前記処理側記憶手段に記憶させる処理側管理情報取得工程と、
前記配信側記憶手段または他の配信側記憶手段である復旧対象記憶手段に前記配信データ管理情報で特定可能な配信データを記憶させる必要がある場合に、前記処理側記憶手段に記憶された前記配信データ管理情報を前記データ配信装置へ返信する配信データ返信工程と、
前記データ処理装置から前記復旧対象記憶手段における前記配信データの記憶状況に関する復旧状況情報を取得する復旧状況情報取得工程と、
前記復旧状況情報に基づいて、前記処理側記憶手段に記憶されている前記配信データのうちの前記復旧対象記憶手段に記憶されていない前記配信データを前記データ配信装置へ送信する復旧対応制御工程と、
を実施することを特徴とするデータ処理方法。
【請求項１５】
配信データを処理可能な複数の第１のコンピュータと、
この複数の第１のコンピュータにネットワークを介して接続された第２のコンピュータと、により、前記配信データを処理するデータ処理方法であって、
前記第２のコンピュータは、
前記配信側記憶手段から前記配信データを取得して、前記第１のコンピュータへ配信する配信データ配信工程と、
前記配信側記憶手段に記憶されている前記配信データを特定可能な配信データ管理情報を前記第１のコンピュータへ配信する管理情報配信工程と、
前記配信側記憶手段または他の配信側記憶手段である復旧対象記憶手段に前記配信データ管理情報で特定可能な配信データを記憶させる必要があることを認識すると、前記第１のコンピュータから前記配信データ管理情報を取得する配信側管理情報取得工程と、
この配信側管理情報取得工程で取得した配信データ管理情報に基づき特定される前記配信データを前記第１のコンピュータから取得して、前記復旧対象記憶手段に記憶させる記憶制御工程と、を実施し、
前記第１のコンピュータは、
前記第２のコンピュータから前記配信データを取得して、処理側記憶手段に記憶させる配信データ蓄積工程と、
前記第２のコンピュータから前記配信データ管理情報を取得して、前記処理側記憶手段に記憶させる処理側管理情報取得工程と、
前記復旧対象記憶手段に前記配信データ管理情報で特定可能な配信データを記憶させる必要がある場合に、前記処理側記憶手段に記憶された前記配信データ管理情報を前記第２のコンピュータへ送信する配信データ返信工程と、
前記処理側記憶手段に記憶されている前記配信データを前記第２のコンピュータへ送信する復旧対応制御工程と、を実施する
ことを特徴とするデータ処理方法。 
【発明の詳細な説明】
【技術分野】
【０００１】
本発明は、データ配信装置、データ処理装置、データ処理システム、データ配信方法、および、データ処理方法に関する。
【背景技術】
【０００２】
従来、サーバにより、クライアントにデータを送信して登録するクライアントサーバシステム構成が知られている（例えば、特許文献１参照）。
このクライアントサーバシステムのサーバは、管理端末からデータの登録が行われると、当該データを分割して各クライアントに登録する。そして、サーバは、ハードディスクが故障した場合、ハードディスクの修復後に、リストアコマンドを実行する。このリストアコマンドにより、サーバは、各クライアントに登録したデータを全て受信して、マージ処理をすることでデータを復旧させる。
【先行技術文献】
【特許文献】
【０００３】
【特許文献１】特開平１０−２１４１６０号公報
【発明の概要】
【発明が解決しようとする課題】
【０００４】
しかしながら、特許文献１のような構成では、クライアントの数が変化すると、データの分割数も変化させる必要があり、この分割処理の制御が複雑になるという問題点がある。また、クライアントが一つでも故障している場合には、分割されたデータの一部を取得できないため、データを復旧できないという問題点がある。さらに、サーバの復旧に不要な古いデータもクライアントから送られてくることも考えられ、適切に復旧できないおそれがある。【０００５】
本発明は、配信側記憶手段の復旧を簡単な制御で適切に実施可能なデータ配信装置、データ処理装置、データ処理システム、データ配信方法、および、データ処理方法を提供することを１つの目的とする。
【課題を解決するための手段】
【０００６】
本発明のデータ配信装置は、配信データを処理可能な複数のデータ処理装置にネットワークを介して接続され、配信側記憶手段に記憶された前記配信データを前記データ処理装置へ配信するデータ配信装置であって、前記配信側記憶手段から前記配信データを取得して、前記データ処理装置へ配信する配信データ配信手段と、前記配信側記憶手段に記憶されている前記配信データを特定可能な配信データ管理情報を前記データ処理装置へ配信する管理情報配信手段と、前記配信側記憶手段または他の配信側記憶手段である復旧対象記憶手段に前記配信データ管理情報で特定可能な配信データを記憶させる必要があることを認識すると、前記データ処理装置から前記配信データ管理情報を取得する配信側管理情報取得手段と、この配信側管理情報取得手段で取得した配信データ管理情報に基づき特定される前記配信データを前記データ処理装置から取得して、前記復旧対象記憶手段に記憶させる記憶制御手段と、を具備したことを特徴とする。【０００７】
本発明のデータ処理装置は、配信側記憶手段に記憶された配信データを配信可能なデータ配信装置にネットワークを介して接続され、前記配信データを処理するデータ処理装置であって、前記データ配信装置から前記配信データを取得して、処理側記憶手段に記憶させる配信データ蓄積手段と、前記データ配信装置から前記配信側記憶手段に記憶されている前記配信データを特定可能な配信データ管理情報を取得して、前記処理側記憶手段に記憶させる処理側管理情報取得手段と、前記配信側記憶手段または他の配信側記憶手段である復旧対象記憶手段に前記配信データ管理情報で特定可能な配信データを記憶させる必要がある場合に、前記処理側記憶手段に記憶された前記配信データ管理情報を前記データ配信装置へ返信する配信データ返信手段と、前記データ処理装置から前記復旧対象記憶手段における前記配信データの記憶状況に関する復旧状況情報を取得する復旧状況情報取得手段と、前記復旧状況情報に基づいて、前記処理側記憶手段に記憶されている前記配信データのうちの前記復旧対象記憶手段に記憶されていない前記配信データを前記データ配信装置へ送信する復旧対応制御手段と、を具備したことを特徴とする。【０００８】
本発明のデータ処理システムは、配信データを処理可能な複数のデータ処理装置と、この複数のデータ処理装置にネットワークを介して接続された上述のデータ配信装置と、を具備したデータ処理システムであって、前記データ処理装置は、前記データ配信装置から前記配信データを取得して、処理側記憶手段に記憶させる配信データ蓄積手段と、前記データ配信装置から前記配信データ管理情報を取得して、前記処理側記憶手段に記憶させる処理側管理情報取得手段と、前記復旧対象記憶手段に前記配信データ管理情報で特定可能な配信データを記憶させる必要がある場合に、前記処理側記憶手段に記憶された前記配信データ管理情報を前記データ配信装置へ送信する配信データ返信手段と、前記処理側記憶手段に記憶されている前記配信データを前記データ配信装置へ送信する復旧対応制御手段と、を備えていることを特徴とする。【０００９】
本発明のデータ配信方法は、配信データを処理可能な複数のデータ処理装置にネットワークを介して接続されたコンピュータにより、配信側記憶手段に記憶された前記配信データを前記データ処理装置へ配信するデータ配信方法であって、前記コンピュータは、前記配信側記憶手段から前記配信データを取得して、前記データ処理装置へ配信する配信データ配信工程と、前記配信側記憶手段に記憶されている前記配信データを特定可能な配信データ管理情報を前記データ処理装置へ配信する管理情報配信工程と、前記配信側記憶手段または他の配信側記憶手段である復旧対象記憶手段に前記配信データ管理情報で特定可能な配信データを記憶させる必要があることを認識すると、前記データ処理装置から前記配信データ管理情報を取得する配信側管理情報取得工程と、この配信側管理情報取得工程で取得した配信データ管理情報に基づき特定される前記配信データを前記データ処理装置から取得して、前記復旧対象記憶手段に記憶させる記憶制御工程と、を実施することを特徴とする。【００１０】
本発明のデータ処理方法は、配信側記憶手段に記憶された配信データを配信可能なデータ配信装置にネットワークを介して接続されたコンピュータにより、前記配信データを処理するデータ処理方法であって、前記コンピュータは、前記データ配信装置から前記配信データを取得して、処理側記憶手段に記憶させる配信データ蓄積工程と、前記データ配信装置から前記配信側記憶手段に記憶されている前記配信データを特定可能な配信データ管理情報を取得して、前記処理側記憶手段に記憶させる処理側管理情報取得工程と、前記配信側記憶手段または他の配信側記憶手段である復旧対象記憶手段に前記配信データ管理情報で特定可能な配信データを記憶させる必要がある場合に、前記処理側記憶手段に記憶された前記配信データ管理情報を前記データ配信装置へ返信する配信データ返信工程と、前記データ処理装置から前記復旧対象記憶手段における前記配信データの記憶状況に関する復旧状況情報を取得する復旧状況情報取得工程と、前記復旧状況情報に基づいて、前記処理側記憶手段に記憶されている前記配信データのうちの前記復旧対象記憶手段に記憶されていない前記配信データを前記データ配信装置へ送信する復旧対応制御工程と、を実施することを特徴とする。【００１１】
本発明のデータ処理方法は、配信データを処理可能な複数の第１のコンピュータと、この複数の第１のコンピュータにネットワークを介して接続された第２のコンピュータと、により、前記配信データを処理するデータ処理方法であって、前記第２のコンピュータは、前記配信側記憶手段から前記配信データを取得して、前記第１のコンピュータへ配信する配信データ配信工程と、前記配信側記憶手段に記憶されている前記配信データを特定可能な配信データ管理情報を前記第１のコンピュータへ配信する管理情報配信工程と、前記配信側記憶手段または他の配信側記憶手段である復旧対象記憶手段に前記配信データ管理情報で特定可能な配信データを記憶させる必要があることを認識すると、前記第１のコンピュータから前記配信データ管理情報を取得する配信側管理情報取得工程と、この配信側管理情報取得工程で取得した配信データ管理情報に基づき特定される前記配信データを前記第１のコンピュータから取得して、前記復旧対象記憶手段に記憶させる記憶制御工程と、を実施し、前記第１のコンピュータは、前記第２のコンピュータから前記配信データを取得して、処理側記憶手段に記憶させる配信データ蓄積工程と、前記第２のコンピュータから前記配信データ管理情報を取得して、前記処理側記憶手段に記憶させる処理側管理情報取得工程と、前記復旧対象記憶手段に前記配信データ管理情報で特定可能な配信データを記憶させる必要がある場合に、前記処理側記憶手段に記憶された前記配信データ管理情報を前記第２のコンピュータへ送信する配信データ返信工程と、前記処理側記憶手段に記憶されている前記配信データを前記第２のコンピュータへ送信する復旧対応制御工程と、を実施することを特徴とする。
【図面の簡単な説明】
【００１２】
【図１】本発明の第１，第２，第３実施形態に係る広告配信システムのブロック図である。
【図２】前記第１実施形態におけるサーバ装置のブロック図である。
【図３】前記第１実施形態におけるサーバ記憶手段の記憶状況を示す模式図である。
【図４】前記第１〜第３実施形態における共有コンテンツ管理情報の構成を示す模式図である。
【図５】前記第１〜第３実施形態における端末装置のブロック図である
【図６】前記第１実施形態における端末記憶手段の記憶状況を示す模式図である。
【図７】前記第１実施形態における端末装置での復旧処理時の動作を示すフローチャートである。
【図８】前記第１〜第３実施形態における端末装置での復旧処理時の動作を示すフローチャートである。
【図９】前記第１実施形態におけるサーバ装置での復旧処理時の動作を示すフローチャートである。
【図１０】前記第１実施形態におけるサーバ装置での復旧処理時の動作を示すフローチャートである。
【図１１】前記第１実施形態におけるサーバ装置での復旧処理時の動作を示すフローチャートである。
【図１２】前記第２実施形態におけるサーバ装置のブロック図である。
【図１３】前記第２実施形態におけるサーバ記憶手段の記憶状況を示す模式図である。
【図１４】前記第２実施形態における復旧対応用管理情報の構成を示す模式図である。
【図１５】前記第２実施形態における端末記憶手段の記憶状況を示す模式図である。
【図１６】前記第２実施形態における端末装置での復旧処理時の動作を示すフローチャートである。
【図１７】前記第２実施形態におけるサーバ装置での復旧処理時の動作を示すフローチャートである。
【図１８】前記第２実施形態におけるサーバ装置での復旧処理時の動作を示すフローチャートである。
【図１９】前記第３実施形態におけるサーバ装置のブロック図である。
【図２０】前記第３実施形態におけるサーバ記憶手段の記憶状況を示す模式図である。
【図２１】前記第３実施形態における端末記憶手段の記憶状況を示す模式図である。
【図２２】前記第３実施形態における端末装置での復旧処理時の動作を示すフローチャートである。
【図２３】前記第３実施形態におけるサーバ装置でのアップロード対象情報の生成処理を示すフローチャートである。
【図２４】前記第３実施形態におけるサーバ装置での復旧処理時の動作を示すフローチャートである。
【図２５】前記第３実施形態におけるサーバ装置での復旧処理時の動作を示すフローチャートである。
【発明を実施するための形態】
【００１３】
以下、本発明の第１〜第３実施形態について説明する。なお、第１〜第３実施形態では、サーバ装置から配信されたコンテンツを端末装置で再生するとともに、サーバ装置のサーバ記憶手段が故障した場合に、故障前のサーバ記憶手段に記憶されていた各種データを端末装置から取得して新しいサーバ記憶手段に記憶させる構成を例示して説明する。なお、以下において、故障前のサーバ記憶手段に記憶されていた各種データを端末装置から取得して新しいサーバ記憶手段に記憶させる処理を、サーバ記憶手段の復旧処理と称す。
【００１４】
［第１実施形態］
まず、本発明の第１実施形態について説明する。
図１は、本発明の第１，第２，第３実施形態に係る広告配信システムのブロック図である。図２は、サーバ装置のブロック図である。図３は、サーバ記憶手段の記憶状況を示す模式図である。図４は、共有コンテンツ管理情報の構成を示す模式図である。図５は、端末装置のブロック図である。図６は、端末記憶手段の記憶状況を示す模式図である。
【００１５】
｛広告配信システムの構成｝
まず、広告配信システムの構成について説明する。
図１において、データ処理システムとしての広告配信システム１は、ネットワーク２と、データ配信装置としてのサーバ装置３０と、データ処理装置としての第１，第２，第３，第４，第５，第６の端末装置５１，５２，５３，５４，５５，５６と、を備えている。
ここで、第１〜第３の端末装置５１〜５３は、広告用のコンテンツＡａ，Ａｂ，Ａｃを再生するグループＡに属している。また、第３〜第６の端末装置５３〜５６は、広告用のコンテンツＢａ，Ｂｂを再生するグループＢに属している。また、グループとしては、例えば同一会社、同一系列会社、地域ごと、友人で構成されるものが例示できる。なお、グループ数としては、一つであってもよいし、三つ以上であってもよい。さらに、各グループを構成する端末装置数としては、複数であればいくつであってもよい。また、各グループで再生するコンテンツ数としては、上述した数以外であってもよい。
ネットワーク２は、サーバ装置３０と、第１〜第６の端末装置５１〜５６とを、各種情報を送受信可能に接続する。
なお、以下において、第１〜第６の端末装置５１〜５６をまとめて表現する場合には、端末装置５０と表現する。
【００１６】
サーバ装置３０は、第２のコンピュータであり、図２に示すように、サーバ入力手段３１と、配信側記憶手段および復旧対象記憶手段としてのサーバ記憶手段３３と、サーバ制御部３８と、を備えている。
サーバ入力手段３１は、管理者もしくはオペレータにより操作され、この操作により設定入力された内容に関する信号をサーバ制御部３８へ出力する。
サーバ記憶手段３３には、図３に示すように、グループＡ，Ｂのそれぞれに対応するグループ用フォルダ３３０と、第１〜第６の端末装置５１〜５６のそれぞれに対応する端末装置用フォルダ３３２と、が設けられている。
【００１７】
グループＡのグループ用フォルダ３３０には、グループＡに属する第１〜第３の端末装置５１〜５３へ配信するコンテンツＡａ，Ａｂ，Ａｃの配信データを構成するコンテンツデータ３４０が格納されている。このコンテンツデータ３４０は、画像データと音声データとテキスト（テロップ）データとから構成されている。また、グループＢのグループ用フォルダ３３０には、グループＢの第３〜第６の端末装置５３〜５６へ配信するコンテンツＢａ，Ｂｂの図示しないコンテンツデータが格納されている。
第１の端末装置の端末装置用フォルダ３３２には、第１の端末装置５１のみに配信されるデータが格納され、具体的には、配信データを構成する処理スケジュールデータとしての再生スケジュールデータ３４１が格納されている。この再生スケジュールデータ３４１には、第１の端末装置５１におけるコンテンツＡａ，Ａｂ，Ａｃの再生時間や、コンテンツＡａ，Ａｂ，Ａｃの表示位置などに関する再生状態などが記録されている。また、第２〜第６の端末装置の端末装置用フォルダ３３２にも、第２〜第６の端末装置５２〜５６でのコンテンツの再生に関する図示しない再生スケジュールデータが格納されている。
【００１８】
また、サーバ記憶手段３３には、サーバ記憶手段３３の復旧処理に利用される配信データ管理情報としての共有コンテンツ管理情報３５０が記憶されている。この共有コンテンツ管理情報３５０は、図４に示すように、広告配信システム１に属する全てのグループ（本実施形態では、グループＡ，Ｂ）のそれぞれに関するグループ管理情報３５１を備えている。グループ管理情報３５１は、各グループでの再生対象のコンテンツ名が記録されたコンテンツ名情報３５３と、各グループに属する端末装置５０の名称が記録された端末一覧情報３５４と、を備えている。また、共有コンテンツ管理情報３５０は、この共有コンテンツ管理情報３５０が生成あるは更新された日時に関する図示しないタイムスタンプ情報を有している。
【００１９】
サーバ制御部３８は、各種プログラムから構成され、図２に示すように、サーバ処理内容判定部３９と、サーバ通常制御部４０と、サーバ復旧制御部４１と、を備えている。
【００２０】
サーバ処理内容判定部３９は、端末装置５０から新規コンテンツの問い合わせポーリングがあると、サーバ記憶手段３３が故障しておらずコンテンツデータ３４０などをダウンロードさせることが可能な通常状態、または、サーバ記憶手段３３が故障したあるいはサーバ記憶手段３３に障害が発生したため新しいサーバ記憶手段３３にコンテンツデータ３４０などを記憶させる必要がある復旧状態のうちのどちらの状態かを判断する。そして、通常状態の場合には、コンテンツデータ３４０などのダウンロードが可能である旨の通常処理要請を端末装置５０へ送信するとともに、サーバ通常制御部４０に処理をさせる。一方、復旧状態の場合には、復旧要請信号を端末装置５０へ送信するとともに、サーバ復旧制御部４１に処理をさせる。
【００２１】
サーバ通常制御部４０は通常状態における処理をする。このサーバ通常制御部４０は、通常蓄積制御手段４０１と、配信データ配信手段４０２と、管理情報配信手段４０３と、を備えている。
【００２２】
通常蓄積制御手段４０１は、図示しない広告主サーバからコンテンツデータ３４０がアップロードされると、サーバ記憶手段３３のグループ用フォルダ３３０に格納する。また、この格納したコンテンツデータ３４０に関する再生スケジュールデータ３４１が広告主サーバからアップロードされると、端末装置用フォルダ３３２に格納する。また、通常蓄積制御手段４０１は、広告主サーバからの要求に応じて、再生スケジュールデータ３４１を更新する。なお、再生スケジュールデータ３４１は、サーバ入力手段３１の設定入力により生成されたものであってもよい。
【００２３】
配信データ配信手段４０２は、端末装置５０の要求に応じて、コンテンツデータ３４０および再生スケジュールデータ３４１を配信データとしてダウンロードさせる。具体的には、通常処理要請に対応して、例えば第１の端末装置５１から第１の端末装置５１の名称と第１の端末装置５１が属するグループに関する情報が送信されると、共有コンテンツ管理情報３５０のコンテンツ名情報３５３に基づいて、第１の端末装置５１への配信対象のコンテンツデータ３４０がコンテンツＡａ，Ａｂ，Ａｃのものであることを認識する。さらに、コンテンツＡａ，Ａｂ，Ａｃのいずれかのコンテンツデータ３４０をダウンロードさせていないと認識すると、このダウンロードさせていないコンテンツデータ３４０をダウンロードさせたり、第１の端末装置５１の端末装置用フォルダ３３２の再生スケジュールデータ３４１を第１の端末装置５１にダウンロードさせたりする。一方、コンテンツＡａ，Ａｂ，Ａｃの全てのコンテンツデータ３４０をダウンロードさせていると認識すると、コンテンツデータ３４０と再生スケジュールデータ３４１をダウンロードさせない。なお、コンテンツデータ３４０や再生スケジュールデータ３４１を暗号化してダウンロードさせることが好ましい。
【００２４】
管理情報配信手段４０３は、第１〜第６の端末装置５１〜５６に共有コンテンツ管理情報３５０をダウンロードさせる。具体的には、管理情報配信手段４０３は、サーバ記憶手段３３の各データの記憶状況を反映させた共有コンテンツ管理情報３５０を生成する。また、管理情報配信手段４０３は、通常蓄積制御手段４０１により新たなコンテンツデータ３４０が格納される、あるいは、再生スケジュールデータ３４１が格納されたり更新されたりすると、この格納後あるいは更新後において存続するグループ、各グループにダウンロードさせるコンテンツの名称、各グループに属する端末装置名を認識する。そして、新たに認識したグループが存在する場合には、このグループに関するグループ管理情報３５１を有する共有コンテンツ管理情報３５０を生成する。また、新たに認識したグループが存在せずに、配信対象のコンテンツの名称やグループに属する端末装置名が変更になった場合には、コンテンツ名情報３５３や端末一覧情報３５４を更新する。そして、端末一覧情報３５４に記録された第１〜第６の端末装置５１〜５６に、共有コンテンツ管理情報３５０を定期的にダウンロードさせる。すなわち、第１〜第６の端末装置５１〜５６に対して、同じ共有コンテンツ管理情報３５０をダウンロードさせる。
【００２５】
サーバ復旧制御部４１は、復旧状態における処理をする。このサーバ復旧制御部４１は、復旧状況情報生成手段としてのサーバ復旧状況管理手段４１１と、配信側管理情報取得手段としても機能する記憶制御手段としての復旧蓄積制御手段４１２と、を備えている。
【００２６】
サーバ復旧状況管理手段４１１は、復旧状態における復旧状況を管理する。具体的には、サーバ復旧状況管理手段４１１は、復旧状態であることを認識すると、データが格納されていない空の共有コンテンツ管理情報３５０を復旧状況情報として生成する。そして、例えば第１の端末装置５１から新規コンテンツ問い合わせポーリングがあった場合、この第１の端末装置５１の名称を復旧管理情報のグループＡの端末一覧情報３５４に記録するとともに、この復旧状況情報を第１の端末装置５１にダウンロードさせる。この復旧状況情報は、端末装置５１〜５６において、サーバ装置３０へアップロードするコンテンツデータ３４０の選択の際に利用される。
さらに、サーバ復旧状況管理手段４１１は、復旧蓄積制御手段４１２により端末装置５０からのコンテンツデータ３４０がサーバ記憶手段３３に記憶されると、この記憶させたコンテンツデータ３４０の名称を復旧管理情報のコンテンツ名情報３５３に記録する。
【００２７】
復旧蓄積制御手段４１２は、端末装置５０からコンテンツデータ３４０や再生スケジュールデータ３４１がアップロードされると、新規コンテンツ問い合わせポーリングに基づいて、コンテンツデータ３４０に対応するグループと、再生スケジュールデータ３４１を送信した端末装置５０とを認識する。そして、グループ用フォルダ３３０や端末装置用フォルダ３３２を適宜生成して、コンテンツデータ３４０や再生スケジュールデータ３４１を格納する。
また、復旧蓄積制御手段４１２は、端末装置５０から共有コンテンツ管理情報３５０がアップロードされると、サーバ記憶手段３３に記憶させる。さらに、共有コンテンツ管理情報３５０がサーバ記憶手段３３に記憶されている状態で共有コンテンツ管理情報３５０がアップロードされると、タイムスタンプが新しい方をサーバ記憶手段３３に記憶させる。
さらに、復旧蓄積制御手段４１２は、コンテンツデータ３４０、再生スケジュールデータ３４１、共有コンテンツ管理情報３５０のアップロードが完了した旨のアップロード終了通知を、共有コンテンツ管理情報３５０に記録された全ての端末装置５０から受信したことを認識すると、サーバ記憶手段３３の復旧処理を終了する。
【００２８】
第１の端末装置５１は、例えば映画館や店舗などの施設に設置された第１のコンピュータであり、図５に示すように、端末入力手段６１と、コンテンツ出力手段６２と、処理側記憶手段としての端末記憶手段６３と、端末制御部６４と、を備えている。なお、第１〜第６の端末装置５１〜５６は、同じ構成を有している。
端末入力手段６１は、再生スケジュールデータで制御され、この制御により設定入力された内容に関する信号を端末制御部６４へ出力する。
コンテンツ出力手段６２は、端末制御部６４の制御により、コンテンツデータ３４０のコンテンツの画像を表示させる図示しない表示手段と、音声を出力させる図示しない音声出力手段と、を備えている。ここで、表示手段は、上記施設に設置された例えば液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルである。
端末記憶手段６３には、図６に示すように、コンテンツフォルダ６３０が設けられている。このコンテンツフォルダ６３０には、端末装置５０がグループＡに属する場合、図６に示すようにグループＡのコンテンツデータ３４０が格納され、グループＢに属する場合、グループＢのコンテンツデータ３４０が格納される。また、端末記憶手段６３には、共有コンテンツ管理情報３５０と、再生スケジュールデータ３４１と、が記憶されている。
【００２９】
端末制御部６４は、各種プログラムから構成され、図５に示すように、端末処理内容判定部６５と、端末通常制御部６６と、端末復旧制御部６７と、を備えている。
【００３０】
端末処理内容判定部６５は、Ｎ（Ｎは自然数）時間ごとに、新規コンテンツ問い合わせポーリングを実施する。この新規コンテンツ問い合わせポーリングには、当該ポーリングを送信した端末装置５０に関する情報と、端末装置５０が属するグループに関する情報とが含まれている。そして、サーバ装置３０から通常処理要請が返ってきた場合、端末通常制御部６６に処理をさせ、復旧要請が返ってきた場合、端末復旧制御部６７に処理をさせる。
【００３１】
端末通常制御部６６は、通常状態における処理をする。この端末通常制御部６６は、配信データ蓄積手段６６１と、処理側管理情報取得手段としての管理情報蓄積手段６６２と、を備えている。
配信データ蓄積手段６６１は、サーバ装置３０から配信データとしてダウンロードしたコンテンツデータ３４０および再生スケジュールデータ３４１を取得して、端末記憶手段６３に記憶させる。具体的には、配信データ蓄積手段６６１は、サーバ装置３０から通常処理要請が返されると、端末装置５０に関する情報と、端末装置５０が属するグループに関する情報とをサーバ装置３０に送信する。そして、配信データ蓄積手段６６１は、サーバ装置３０からコンテンツデータ３４０と再生スケジュールデータ３４１とをダウンロードすると、これらを例えば図６に示すように、サーバ記憶手段３３に記憶させる。
管理情報蓄積手段６６２は、サーバ装置３０から定期的に共有コンテンツ管理情報３５０をダウンロードして、端末記憶手段６３に記憶させる。
【００３２】
端末復旧制御部６７は、復旧状態における処理をする。この端末復旧制御部６７は、復旧状況情報取得手段としての端末復旧状況管理手段６７１と、配信データ返信手段としての復旧対応制御手段６７２と、を備えている。
端末復旧状況管理手段６７１は、サーバ装置３０から復旧要請が返されると、サーバ装置３０から復旧状況情報をダウンロードする。そして、端末記憶手段６３に記憶されているコンテンツデータ３４０のうち、復旧状況情報に記録されていないコンテンツデータ３４０をアップロード対象データとして選択する。なお、端末記憶手段６３に記憶された共有コンテンツ管理情報３５０のコンテンツ名情報３５３に記録されているグループＡのコンテンツデータ３４０のうち、復旧状況情報に記録されていないコンテンツデータ３４０をアップロード対象データとして選択してもよい。
復旧対応制御手段６７２は、端末復旧状況管理手段６７１でアップロード対象データとして選択されたコンテンツデータ３４０をサーバ装置３０にアップロードする。また、復旧対応制御手段６７２は、再生スケジュールデータ３４１や共有コンテンツ管理情報３５０をサーバ装置３０にアップロードしていない場合、これらをサーバ装置３０にアップロードする。
【００３３】
｛広告配信システムの動作｝
次に、広告配信システムの動作として、主に第１の端末装置５１とサーバ装置３０の動作について説明する。なお、ここでは、第１の端末装置５１の動作とサーバ装置３０の動作を分けて説明する。
図７および図８は、端末装置での復旧処理時の動作を示すフローチャートである。図９〜図１１は、サーバ装置での復旧処理時の動作を示すフローチャートである。
【００３４】
第１の端末装置５１の端末制御部６４は、端末処理内容判定部６５にて、図７に示すように、前回の新規コンテンツ問い合わせポーリングからＮ時間が経過したか否かを判断する（ステップＳ１）。そして、ステップＳ１において、Ｎ時間が経過していないと判断した場合、所定時間経過後にステップＳ１の処理をし、Ｎ時間が経過したと判断した場合、サーバ装置３０に新規コンテンツ問い合わせポーリングをする（ステップＳ２）。この後、端末処理内容判定部６５は、サーバ装置３０から後述のステップＳ２３の処理による復旧要請が返されたか否かを判断する（ステップＳ３）。
このステップＳ３において、サーバ装置３０から復旧要請ではなく、通常処理要請が返されたと判断した場合、端末通常制御部６６にて、コンテンツデータ３４０などをダウンロードするために第１の端末装置５１に関する情報をサーバ装置３０に送信する。すなわち、通常のコンテンツ問い合わせ処理をする（ステップＳ４）。そして、端末制御部６４は、ステップＳ１の処理をする。一方、ステップＳ４において、復旧要請が返されたと判断した場合、端末復旧状況管理手段６７１にて、サーバ装置３０から復旧状況情報をダウンロードする（ステップＳ５）。
【００３５】
この後、端末復旧制御部６７の復旧対応制御手段６７２は、端末記憶手段６３の再生スケジュールデータ３４１がアップロード済みか否かを判断し（ステップＳ６）、アップロード済みでない場合、再生スケジュールデータ３４１をアップロードする（ステップＳ７）。そして、復旧対応制御手段６７２は、ステップＳ７の処理後、または、ステップＳ６で再生スケジュールデータ３４１がアップロード済みであると判断した場合、共有コンテンツ管理情報３５０がアップロード済みか否かを判断し（ステップＳ８）、アップロード済みでない場合、共有コンテンツ管理情報３５０をアップロードする（ステップＳ９）。
また、端末復旧状況管理手段６７１は、ステップＳ９の処理後、または、ステップＳ８で共有コンテンツ管理情報３５０がアップロード済みであると判断した場合、サーバ記憶手段３３に記憶された旨が復旧状況情報に記録されていないコンテンツデータ３４０が第１の端末装置５１の端末記憶手段６３に存在するか否かを判断する（ステップＳ１０）。
【００３６】
このステップＳ１０において、端末復旧状況管理手段６７１は、存在しないと判断した場合、すなわち端末記憶手段６３のコンテンツデータ３４０が全てサーバ記憶手段３３に記憶された旨が復旧状況情報に記録されている場合、サーバ装置３０にアップロードすべきコンテンツデータ３４０を有していないと認識し、図８に示すように、アップロード終了通知をサーバ装置へ送信して（ステップＳ１１）、処理を終了する。
一方、図７のステップＳ１０において、端末復旧状況管理手段６７１は、存在すると判断した場合、図８に示すように、復旧状況情報に記録されておらず、かつ、端末記憶手段６３に記憶されているコンテンツデータ３４０のうち、サーバ装置３０にアップロードしていないアップロード対象データが存在しているか否かを判断する（ステップＳ１２）。このステップＳ１２において、端末復旧状況管理手段６７１は、存在していないと判断した場合、復旧状況情報に記録されておらず、かつ、端末記憶手段６３に記憶されているコンテンツデータ３４０が全てサーバ装置３０にアップロードされたと認識して、ステップＳ１１の処理をする。また、ステップＳ１２において、端末復旧状況管理手段６７１は、存在していると判断した場合、復旧対応制御手段６７２に、サーバ装置３０に対してコンテンツデータ３４０のアップロードの問い合わせをさせる（ステップＳ１３）。
【００３７】
そして、復旧対応制御手段６７２は、サーバ装置３０からアップロードＯＫの応答を受けたか否かを判断し（ステップＳ１４）、後述のステップＳ３８の処理によるアップロード不可能を受けた場合にステップＳ１２の処理をし、ＯＫの応答を受けた場合にアップロード対象データをサーバ装置３０にアップロードする（ステップＳ１５）。このステップＳ１５の処理の後、復旧対応制御手段６７２は、アップロードに成功したか否かを判断し（ステップＳ１６）、成功したと判断した場合にステップＳ１２の処理をし、失敗したと判断した場合に当該アップロード対象データのアップロードの試行がＭ（Ｍは自然数）回目以上か否かを判断する（ステップＳ１７）。
そして、復旧対応制御手段６７２は、ステップＳ１７において、Ｍ回目以上であると判断した場合、ステップＳ１２の処理をし、Ｍ回目未満であると判断した場合、ステップＳ１３の処理をする。
【００３８】
一方、サーバ装置３０のサーバ制御部３８は、サーバ復旧状況管理手段４１１にて復旧状態であることを認識すると、図９に示すように、空の共有コンテンツ管理情報３５０を復旧状況情報として生成して（ステップＳ２１）、所定時間待機する（ステップＳ２２）。この後、サーバ制御部３８のサーバ処理内容判定部３９は、端末装置５０から上述のステップＳ２の処理による新規コンテンツ問い合わせポーリングを受信すると、この端末装置５０に復旧要請を返す処理、すなわち新規コンテンツ問い合わせポーリング受付処理をする（ステップＳ２３）。
そして、サーバ復旧状況管理手段４１１は、復旧状況情報に記録された端末装置５０からのポーリングか否かを判断する（ステップＳ２４）。
このステップＳ２４において、復旧状況情報に記録された端末装置５０からのポーリングでないと判断した場合、ポーリングした端末装置５０に関する情報を復旧状況情報に記録する（ステップＳ２５）。そして、このステップＳ２５の後、または、ステップＳ２４において復旧状況情報に記録された端末装置５０からのポーリングであると判断した場合、ポーリングをした端末装置５０に上述のステップＳ５の処理をさせ、復旧状況情報をダウンロードさせる（ステップＳ２６）。
【００３９】
この後、復旧蓄積制御手段４１２は、図１０に示すように、復旧状況情報をダウンロードさせた端末装置５０からデータがアップロードされると、このデータが上述のステップＳ９の処理による共有コンテンツ管理情報３５０か否かを判断する（ステップＳ２７）。そして、ステップＳ２７において、共有コンテンツ管理情報３５０であると判断した場合、復旧後初めて共有コンテンツ管理情報３５０がアップロードされたか否かを判断する（ステップＳ２８）。このステップＳ２８において、復旧後初めてのアップロードでないと判断した場合、以前アップロードされた共有コンテンツ管理情報３５０よりもタイムスタンプが新しいか否かを判断し（ステップＳ２９）、新しいと判断した場合、この共有コンテンツ管理情報３５０を以前のものに換えて保存して（ステップＳ３０）、ステップＳ２２の処理をする。また、ステップＳ２８において、共有コンテンツ管理情報３５０のアップロードが復旧後初めてであると判断した場合、この共有コンテンツ管理情報３５０を保存する（ステップＳ３０）。
一方、ステップＳ２９において、今回アップロードされた共有コンテンツ管理情報３５０のタイムスタンプが古いと判断した場合、ステップＳ２２の処理をする。
【００４０】
また、復旧蓄積制御手段４１２は、ステップＳ２７において、アップロードされたデータが共有コンテンツ管理情報３５０でないと判断した場合、上述のステップＳ１３の処理によるコンテンツデータ３４０のアップロード要求か否かを判断する（ステップＳ３１）。このステップＳ３１において、コンテンツデータ３４０のアップロード要求でないと判断した場合、上述のステップＳ７の処理による再生スケジュールデータ３４１のアップロード要求であると認識して（ステップＳ３２）、アップロードの受付処理をする（ステップＳ３３）。そして、再生スケジュールデータ３４１をアップロードした端末装置５０の端末装置用フォルダ３３２をサーバ記憶手段３３に作成し、この端末装置用フォルダ３３２に再生スケジュールデータ３４１を格納する（ステップＳ３４）。
【００４１】
一方、復旧蓄積制御手段４１２は、ステップＳ３１において、コンテンツデータ３４０のアップロード要求であると判断した場合、図１１に示すように、このコンテンツデータ３４０に対応するグループ用フォルダ３３０がサーバ記憶手段３３に存在するか否かを判断し（ステップＳ３５）、存在しないと判断した場合、グループ用フォルダ３３０を作成する（ステップＳ３６）。そして、復旧蓄積制御手段４１２は、このステップＳ３６の後、または、ステップＳ３５においてグループ用フォルダ３３０が存在すると判断した場合、グループ用フォルダ３３０内に同名のコンテンツデータ３４０が存在するか否かを判断する（ステップＳ３７）。
ステップＳ３７において、同名のコンテンツデータ３４０が存在すると判断した場合、端末装置５０にアップロード不可能を通知して（ステップＳ３８）、ステップＳ２２の処理をする。また、ステップＳ３７において、復旧蓄積制御手段４１２は、同名のコンテンツデータ３４０が存在しないと判断した場合、コンテンツデータ３４０をアップロードして（ステップＳ３９）、グループ用フォルダ３３０に格納する（ステップＳ４０）。
【００４２】
そして、サーバ復旧状況管理手段４１１は、ステップＳ４０で格納したコンテンツデータ３４０に関する情報を復旧管理情報に記録して更新する（ステップＳ４１）。そして復旧蓄積制御手段４１２は、端末装置５０から上述のステップＳ１１の処理によるアップロード終了通知を受信したか否かを判断する（ステップＳ４２）。このステップＳ４２において、受信していないと判断した場合、コンテンツデータ３４０などをアップロードした端末装置５０からさらにデータがアップロードされると認識して、ステップＳ３１の処理をし、受信したと判断した場合、当該端末装置５０からデータがアップロードされないと認識して、共有コンテンツ管理情報３５０に記録された全ての端末装置からアップロード終了通知を受信したか否かを判断する（ステップＳ４３）。そして、ステップＳ４３において、受信していないと判断した場合、ステップＳ２２の処理をし、受信したと判断した場合、復旧処理を終了する。
【００４３】
｛第１実施形態の作用効果｝
以上の第１実施形態によれば、以下の作用効果が期待できる。
（１）広告配信システム１のサーバ装置３０は、端末装置５０の要求に応じてコンテンツデータ３４０をダウンロードさせるとともに、定期的に共有コンテンツ管理情報３５０をダウンロードさせる。そして、サーバ装置３０は、故障前のサーバ記憶手段３３に記憶されていたコンテンツデータ３４０を新しいサーバ記憶手段３３に記憶させる復旧処理が必要であることを認識すると、端末装置５０に共有コンテンツ管理情報３５０をアップロードさせ、この共有コンテンツ管理情報３５０のコンテンツ名情報３５３で特定されるコンテンツデータ３４０を端末装置５０から取得して新しいサーバ記憶手段３３に記憶させる。
このため、例えばグループＡにおける再生対象のコンテンツデータ３４０を分割せずに、第１〜第３の端末装置５１〜５３へ配信するので、従来のようにコンテンツデータ３４０の分割処理を実施する必要がない。また、例えば第１の端末装置５１が故障した場合でも、第２，第３の端末装置５２，５３からグループＡの全てのコンテンツデータ３４０を取得して、新しいサーバ記憶手段３３に記憶させることができる。さらに、サーバ記憶手段３３での記憶状況を反映させた共有コンテンツ管理情報３５０に基づいてコンテンツデータ３４０を取得するので、復旧処理に不要な古いコンテンツデータ３４０がアップロードされることもない。よって、サーバ記憶手段３３の復旧を簡単な制御で適切に実施できる。
【００４４】
（２）サーバ装置３０は、復旧処理によりサーバ記憶手段３３に記憶されたコンテンツデータ３４０を特定する復旧状況情報を端末装置５０へ送信する。そして、端末装置５０は、端末記憶手段６３に記憶されているコンテンツデータ３４０のうち、復旧状況情報に記録されていないコンテンツデータ３４０をサーバ装置３０にアップロードする。
このため、例えば第１の端末装置５１がグループＡのコンテンツデータ３４０を全て記憶している場合、この第１の端末装置５１のみからグループＡのコンテンツデータ３４０を全て取得することができ、効率的にサーバ記憶手段３３を復旧できる。
【００４５】
（３）サーバ装置３０は、サーバ記憶手段３３に記憶された全てのコンテンツデータ３４０の名称と、各コンテンツデータ３４０の配信先とが記録された共有コンテンツ管理情報３５０を全ての端末装置５０に配信する。
このため、例えばグループＡの全ての端末装置５０（第１〜第３の端末装置５１〜５３）が有する共有コンテンツ管理情報３５０が壊れた場合でも、グループＢに属する第４の端末装置５４からの共有コンテンツ管理情報３５０に基づいて、第１〜第３の端末装置５１〜５３のうちのいずれかからグループＡの全てのコンテンツデータ３４０を取得することができる。
【００４６】
（４）サーバ装置３０から端末装置５０へコンテンツデータ３４０を配信する構成において、サーバ記憶手段３３を復旧する構成としている。
このため、利用者が多いコンテンツデータ３４０の配信システムで復旧を適切にできるため、利用者に不便さを感じさせることなくコンテンツデータ３４０を視聴させることができる。
【００４７】
（５）サーバ装置３０から端末装置５０へコンテンツデータ３４０の再生スケジュールデータ３４１を配信する構成において、サーバ記憶手段３３を復旧する構成としている。
このため、サーバ記憶手段３３に障害が発生した場合でも、障害発生前のコンテンツデータ３４０の再生状態を早急に実現できる。
【００４８】
［第２実施形態］
次に、本発明の第２実施形態について説明する。なお、第１実施形態と同一の構成や同一の動作については、同一の符号を付して説明を適宜省略する。また、第１実施形態と類似する処理をする構成については、同一名称を付して説明を簡略にする。
図１２は、サーバ装置のブロック図である。図１３は、サーバ記憶手段の記憶状況を示す模式図である。図１４は、復旧対応用管理情報の構成を示す模式図である。図１５は、端末記憶手段の記憶状況を示す模式図である。
【００４９】
｛広告配信システムの構成｝
まず、広告配信システムの構成について説明する。
図１において、データ処理システムとしての広告配信システム１Ａは、ネットワーク２と、データ配信装置としてのサーバ装置３０Ａと、データ処理装置としての第１〜第６の端末装置５１Ａ〜５６Ａと、を備えている。
なお、以下において、第１〜第６の端末装置５１Ａ〜５６Ａをまとめて表現する場合には、端末装置５０Ａと表現する。
【００５０】
サーバ装置３０Ａは、例えばコンピュータであり、図１２に示すように、第１実施形態のサーバ装置３０のサーバ記憶手段３３とサーバ制御部３８の代わりに、配信側記憶手段および復旧対象記憶手段としてのサーバ記憶手段３３Ａとサーバ制御部３８Ａを設けた構成を有している。
【００５１】
サーバ記憶手段３３Ａには、図１３に示すように、共有コンテンツ管理情報３５０と、コンテンツデータ３４０を格納可能なグループ用フォルダ３３０と、端末装置用フォルダ３３２と、が記憶されている。また、第１〜第６の端末装置５１Ａ〜５６Ａに対応する端末装置用フォルダ３３２には、再生スケジュールデータ３４１と、復旧対応用管理情報３４３Ａと、が格納されている。復旧対応用管理情報３４３Ａは、図１４〜図１６に示すように、送信対象情報としてのアップロード対象情報３４４Ａと、共有コンテンツ管理情報３５０と、を備えている。アップロード対象情報３４４Ａには、第１〜第６の端末装置５１Ａ〜５６Ａでダウンロード済みのコンテンツデータ３４０のうち、サーバ装置３０Ａにアップロードすべきコンテンツデータ３４０の名称が記録されている。例えば、第１の端末装置５１Ａに対応するアップロード対象情報３４４Ａには、図１４に示すようにコンテンツＡａ，Ａｂの名称が記録されている。また、第２〜第６の端末装置５２Ａ〜５６Ａのアップロード対象情報３４４Ａには、以下の表１に示すようなコンテンツの名称がそれぞれ記録されている。
【００５２】
【表１】
2011039880.tif 000003
【００５３】
すなわち、アップロード対象情報３４４Ａには、第１〜第６の端末装置５１Ａ〜５６Ａが属するグループに対応するコンテンツの名称が記録されている。また、アップロード対象情報３４４Ａは、各コンテンツが第１〜第６の端末装置５１Ａ〜５６Ａのうちの２個の端末装置からアップロードされるような内容となっている。
【００５４】
サーバ制御部３８Ａは、各種プログラムから構成され、図１２に示すように、第１実施形態のサーバ制御部３８のサーバ通常制御部４０とサーバ復旧制御部４１との代わりに、サーバ通常制御部４０Ａとサーバ復旧制御部４１Ａとを設けた構成を有している。
また、サーバ通常制御部４０Ａは、第１実施形態のサーバ通常制御部４０の管理情報配信手段４０３の代わりに送信対象情報送信手段としての管理情報配信手段４０３Ａを設けた構成を有している。
【００５５】
管理情報配信手段４０３Ａは、共有コンテンツ管理情報３５０を生成してサーバ記憶手段３３Ａに記憶させたり、復旧対応用管理情報３４３Ａを生成してサーバ記憶手段３３Ａの端末装置用フォルダ３３２に格納したりする。具体的には、管理情報配信手段４０３Ａは、サーバ記憶手段３３Ａの記憶状況を反映させた共有コンテンツ管理情報３５０を生成して、サーバ記憶手段３３Ａに記憶させる。また、例えばグループＡに属する第１の端末装置５１Ａの復旧対応用管理情報３４３Ａを生成する場合、コンテンツＡａ，Ａｂの名称が記録されたアップロード対象情報３４４Ａを生成し、このアップロード対象情報３４４Ａと共有コンテンツ管理情報３５０とを結合する。そして、この復旧対応用管理情報３４３Ａを第１の端末装置５１Ａの端末装置用フォルダ３３２に格納する。
また、管理情報配信手段４０３Ａは、共有コンテンツ管理情報３５０や復旧対応用管理情報３４３Ａをサーバ記憶手段３３Ａの記憶状況を反映させて更新する。さらに、管理情報配信手段４０３Ａは、各端末装置用フォルダ３３２に格納された復旧対応用管理情報３４３Ａを、対応する端末装置に定期的にダウンロードさせる。すなわち、第１〜第６の端末装置５１Ａ〜５６Ａに対して、それぞれ内容が異なる復旧対応用管理情報３４３Ａをダウンロードさせる。
【００５６】
サーバ復旧制御部４１Ａは、配信側管理情報取得手段としても機能する記憶制御手段としての復旧蓄積制御手段４１２Ａのみを備えている。
復旧蓄積制御手段４１２Ａは、端末装置５０Ａからコンテンツデータ３４０や再生スケジュールデータ３４１がアップロードされると、グループ用フォルダ３３０や端末装置用フォルダ３３２を適宜生成して、コンテンツデータ３４０や再生スケジュールデータ３４１を格納する。
また、復旧蓄積制御手段４１２Ａは、端末装置５０Ａから初めて復旧対応用管理情報３４３Ａがアップロードされると、この復旧対応用管理情報３４３Ａからアップロード対象情報３４４Ａを削除して、共有コンテンツ管理情報３５０のみをサーバ記憶手段３３Ａに記憶させる。さらに、共有コンテンツ管理情報３５０がサーバ記憶手段３３Ａに記憶されている状態で復旧対応用管理情報３４３Ａがアップロードされると、この復旧対応用管理情報３４３Ａの共有コンテンツ管理情報３５０と、記憶済みの共有コンテンツ管理情報３５０とのうち、タイムスタンプが新しい方をサーバ記憶手段３３Ａに記憶させる。
【００５７】
第１の端末装置５１Ａは、例えばコンピュータであり、図５に示すように、第１実施形態の第１の端末装置５１の端末記憶手段６３と端末制御部６４の代わりに、処理側記憶手段としての端末記憶手段６３Ａと端末制御部６４Ａを設けた構成を有している。なお、第１〜第６の端末装置５１Ａ〜５６Ａは、同じ構成を有している。
端末記憶手段６３Ａには、図１５に示すように、コンテンツフォルダ６３０に格納されたコンテンツデータ３４０と、第１の端末装置５１Ａに対応する復旧対応用管理情報３４３Ａと、再生スケジュールデータ３４１と、が記憶されている。
【００５８】
端末制御部６４Ａは、各種プログラムから構成され、図５に示すように、第１実施形態の端末制御部６４の端末通常制御部６６と端末復旧制御部６７との代わりに、端末通常制御部６６Ａと端末復旧制御部６７Ａとを設けた構成を有している。
また、端末通常制御部６６Ａは、第１実施形態の端末通常制御部６６の管理情報蓄積手段６６２の代わりに、処理側管理情報取得手段としての管理情報蓄積手段６６２Ａを設けた構成を有している。
管理情報蓄積手段６６２Ａは、サーバ装置３０Ａから定期的に復旧対応用管理情報３４３Ａをダウンロードして、端末記憶手段６３Ａに記憶させる。
【００５９】
端末復旧制御部６７は、端末復旧状況管理手段６７１Ａと、配信データ返信手段としての復旧対応制御手段６７２Ａと、を備えている。
端末復旧状況管理手段６７１Ａは、サーバ装置３０Ａから復旧要請が返されると、端末記憶手段６３Ａに記憶されているコンテンツデータ３４０のうち、復旧対応用管理情報３４３Ａのアップロード対象情報３４４Ａに記録されたコンテンツデータ３４０を、アップロード対象データとして選択する。例えば、第１の端末装置５１Ａの端末復旧状況管理手段６７１Ａは、端末記憶手段６３Ａに記憶されているコンテンツＡａ，Ａｂ，Ａｃのコンテンツデータ３４０のうち、図１４に示すように、コンテンツＡａ，Ａｂのコンテンツデータ３４０をアップロード対象データとして選択する。
復旧対応制御手段６７２Ａは、端末復旧状況管理手段６７１Ａでアップロード対象データとして選択されたコンテンツデータ３４０をサーバ装置３０Ａにアップロードしたり、再生スケジュールデータ３４１や復旧対応用管理情報３４３Ａをサーバ装置３０Ａにアップロードしていない場合、これらをサーバ装置３０Ａにアップロードしたりする。
【００６０】
｛広告配信システムの動作｝
次に、広告配信システムの動作について説明する。
図１６は、端末装置での復旧処理時の動作を示すフローチャートである。図１７および図１８は、サーバ装置での復旧処理時の動作を示すフローチャートである。
【００６１】
第１の端末装置５１Ａの端末制御部６４Ａは、図１６に示すように、ステップＳ１〜Ｓ４の処理をする。そして、端末制御部６４Ａは、ステップＳ３において、復旧要請が返されたと判断した場合、復旧対応制御手段６７２Ａにて、ステップＳ７の処理をし、さらに、端末記憶手段６３Ａに復旧対応用管理情報３４３Ａが存在するか否かを判断する（ステップＳ５１）。このステップＳ５１において、復旧対応制御手段６７２Ａは、存在しないと判断した場合、図８に示すステップＳ１１の処理、すなわちアップロード終了通知を送信して、存在すると判断した場合、復旧対応用管理情報３４３Ａをアップロードする（ステップＳ５２）。
この後、端末復旧状況管理手段６７１Ａは、アップロード対象情報３４４Ａに名称が記録されたコンテンツデータ３４０（アップロード対象データ）が端末記憶手段６３Ａに存在するか否かを判断する（ステップＳ５３）。このステップＳ５３において、存在すると判断した場合、図８に示すステップＳ１２〜Ｓ１７の処理をして、コンテンツデータ３４０を適宜アップロードする。一方、ステップＳ５３において、存在しないと判断した場合、図８に示すステップＳ１１の処理をする。
【００６２】
一方、サーバ装置３０Ａのサーバ制御部３８Ａは、復旧状態であることを認識するとともに、端末装置５０Ａから上述のステップＳ２の処理による新規コンテンツ問い合わせポーリングを受信すると、図１７に示すように、この端末装置５０Ａに復旧要請を返す（ステップＳ６１）。この後、復旧蓄積制御手段４１２Ａは、端末装置５０Ａからアップロードの要求されたデータが上述のステップＳ１３の処理によるコンテンツデータ３４０であるか否かを判断する（ステップＳ６２）。このステップＳ６２において、コンテンツデータ３４０であると判断した場合、図１８に示すように、ステップＳ３５，Ｓ３６，Ｓ４０の処理をして、コンテンツデータ３４０をサーバ記憶手段３３Ａに格納する。
【００６３】
また、復旧蓄積制御手段４１２Ａは、ステップＳ６２においてコンテンツデータ３４０でないと判断した場合、ステップＳ７の処理による再生スケジュールデータ３４１か否かを判断する（ステップＳ６３）。そして、ステップＳ６３において、再生スケジュールデータ３４１であると判断した場合、ステップＳ３３，Ｓ３４の処理をして、再生スケジュールデータ３４１をサーバ記憶手段３３Ａに格納した後、ステップＳ６２の処理をする。一方、ステップＳ６３において、上述のステップＳ５２の処理による復旧対応用管理情報３４３Ａであると判断した場合、復旧後初めて復旧対応用管理情報３４３Ａがアップロードされたか否かを判断する（ステップＳ６４）。このステップＳ６４において、復旧後初めてのアップロードでないと判断した場合、この復旧対応用管理情報３４３Ａの共有コンテンツ管理情報３５０のタイムスタンプが、以前アップロードされた復旧対応用管理情報３４３Ａの共有コンテンツ管理情報３５０よりも新しいかを判断する（ステップＳ６５）。そして、ステップＳ６５において、新しいと判断した場合、今回アップロードされた復旧対応用管理情報３４３Ａからアップロード対象情報３４４Ａを削除して、共有コンテンツ管理情報３５０をサーバ記憶手段３３Ａに記憶させる（ステップＳ６６）。また、ステップＳ６４において、復旧対応用管理情報３４３Ａのアップロードが復旧後初めてであると判断した場合、ステップＳ６６の処理をする。
【００６４】
一方、ステップＳ６５において、復旧蓄積制御手段４１２Ａは、今回アップロードされた復旧対応用管理情報３４３Ａの共有コンテンツ管理情報３５０のタイムスタンプが古いと判断した場合、または、ステップＳ６６の処理をすると、図１８に示すように、サーバ記憶手段３３Ａに共有コンテンツ管理情報３５０が存在するか否かを判断する（ステップＳ６７）。このステップＳ６７において、復旧蓄積制御手段４１２Ａは、存在しないと判断した場合、図１７に示すステップＳ６１の処理をし、存在すると判断した場合、共有コンテンツ管理情報３５０に記録された全てのコンテンツデータ３４０がアップロードされたか否かを判断する（ステップＳ６８）。
そして、ステップＳ６８において、アップロードされていないと判断した場合、ステップＳ６１の処理をし、アップロードされていると判断した場合、共有コンテンツ管理情報３５０に記録された全ての端末装置５０Ａの復旧対応用管理情報３４３Ａがアップロードされたか否かを判断する（ステップＳ６９）。このステップＳ６９において、アップロードされていないと判断した場合、ステップＳ６１の処理をし、アップロードされていると判断した場合、共有コンテンツ管理情報３５０に記録された全ての端末装置５０Ａの再生スケジュールデータ３４１がアップロードされたか否かを判断する（ステップＳ７０）。
そして、ステップＳ７０において、アップロードされていないと判断した場合、ステップＳ６１の処理をし、アップロードされていると判断した場合、復旧処理を終了する。
【００６５】
｛第２実施形態の作用効果｝
以上の第２実施形態によれば、上記第１実施形態の（１）、（３）〜（５）と同様の作用効果に加えて、以下の作用効果が期待できる。
（６）サーバ装置３０Ａは、復旧時にサーバ装置３０Ａにアップロードすべきコンテンツデータ３４０を特定するアップロード対象情報３４４Ａを生成して、障害発生前に端末装置５０Ａにダウンロードさせる。そして、端末装置５０Ａは、復旧要請を受けると、アップロード対象情報３４４Ａで特定されたコンテンツデータ３４０をサーバ装置３０Ａにアップロードする。
このため、サーバ装置３０Ａは、各端末装置５０Ａの帯域を有効活用して、コンテンツデータ３４０のアップロードを並行して実施できる。さらに、サーバ装置３０Ａは、障害発生前にアップロード対象情報３４４Ａを生成して端末装置５０Ａにダウンロードさせるため、障害発生後における処理の簡略化を図れ、復旧処理を迅速にできる。
【００６６】
（７）サーバ装置３０Ａは、グループＡに属する３個のコンテンツデータ３４０のうちの２個の送信を要求し、かつ、この要求の内容が異なるアップロード対象情報３４４ＡをグループＡの第１〜第３の端末装置５１Ａ〜５３Ａに対して送信する。
このため、例えば第１の端末装置５１ＡでグループＡに属するコンテンツＡａ，Ａｂのコンテンツデータ３４０をアップロードしている間に、第１の端末装置５１Ａでのアップロード対象でないコンテンツＡｃのコンテンツデータ３４０を第２の端末装置５２Ａでアップロードすることができ、復旧の効率化を図ることができる。さらに、第１〜第３の端末装置５１Ａ〜５３Ａは、多くても２個のコンテンツデータ３４０をアップロードするだけでよいので、第１〜第３の端末装置５１Ａ〜５３Ａの処理負荷を最小限に抑えることができる。
【００６７】
［第３実施形態］
次に、本発明の第３実施形態について説明する。なお、第１，第２実施形態と同一の構成や同一の動作については、同一の符号を付して説明を適宜省略する。また、第１実施形態と類似する処理をする構成については、同一名称を付して説明を簡略にする。
図１９は、サーバ装置のブロック図である。図２０は、サーバ記憶手段の記憶状況を示す模式図である。図２１は、端末記憶手段の記憶状況を示す模式図である。
【００６８】
｛広告配信システムの構成｝
まず、広告配信システムの構成について説明する。
図１において、データ処理システムとしての広告配信システム１Ｂは、ネットワーク２と、データ配信装置としてのサーバ装置３０Ｂと、データ処理装置としての第１〜第６の端末装置５１Ｂ〜５６Ｂと、を備えている。なお、以下において、第１〜第６の端末装置５１Ｂ〜５６Ｂをまとめて表現する場合には、端末装置５０Ｂと表現する。
【００６９】
サーバ装置３０Ｂは、例えばコンピュータであり、図１９に示すように、第１実施形態のサーバ装置３０のサーバ記憶手段３３と、サーバ制御部３８の代わりに、配信側記憶手段および復旧対象記憶手段としてのサーバ記憶手段３３Ｂと、サーバ制御部３８Ｂを設けた構成を有している。
【００７０】
サーバ記憶手段３３Ｂには、図２０に示すように、共有コンテンツ管理情報３５０と、コンテンツデータ３４０を格納可能なグループ用フォルダ３３０と、端末装置用フォルダ３３２と、が記憶されている。また、第１〜第６の端末装置５１Ｂ〜５６Ｂに対応する端末装置用フォルダ３３２には、再生スケジュールデータ３４１と、アップロード対象情報３４４Ａと、が格納されている。第１〜第６の端末装置５１Ｂ〜５６Ｂに対応するアップロード対象情報３４４Ａは、第２実施形態のアップロード対象情報３４４Ａと同じものであり、上記表１に示すように、第１〜第６の端末装置５１Ｂ〜５６Ｂでダウンロード済みのコンテンツデータ３４０のうち、サーバ装置３０Ｂにアップロードすべきコンテンツデータ３４０の名称が記録されている。
【００７１】
サーバ制御部３８Ｂは、各種プログラムから構成され、図１９に示すように、第１実施形態のサーバ制御部３８のサーバ復旧制御部４１の代わりに、サーバ復旧制御部４１Ｂを設けた構成を有している。
サーバ復旧制御部４１Ｂは、送信対象情報送信手段としての復旧スケジュール作成手段４１３Ｂと、配信側管理情報取得手段としても機能する記憶制御手段としての復旧蓄積制御手段４１２Ｂと、を備えている。
復旧スケジュール作成手段４１３Ｂは、復旧状態のときに、端末装置５０Ｂから共有コンテンツ管理情報３５０がアップロードされると、この共有コンテンツ管理情報３５０をコンテンツアップロード管理データとしてサーバ記憶手段３３Ｂに保存する。そして、このコンテンツアップロード管理データのコンテンツ名情報３５３と、端末一覧情報３５４と、に基づいて、各グループで再生するコンテンツの数と各グループに属する端末装置５０Ｂの数とを認識して、アップロード対象情報３４４Ａを生成してサーバ記憶手段３３Ｂに記憶させる。すなわち、復旧スケジュール作成手段４１３Ｂは、アップロード対象情報３４４Ａの生成処理をコンテンツデータ３４０のアップロードスケジュール作成処理として実施する。
【００７２】
復旧蓄積制御手段４１２Ｂは、端末装置５０Ｂからコンテンツデータ３４０や再生スケジュールデータ３４１がアップロードされると、グループ用フォルダ３３０や端末装置用フォルダ３３２を適宜生成して、コンテンツデータ３４０や再生スケジュールデータ３４１を格納する。
また、復旧蓄積制御手段４１２Ｂは、端末装置５０Ｂにアップロード対象情報３４４Ａをダウンロードさせる。
【００７３】
第１の端末装置５１Ｂは、例えばコンピュータであり、図５に示すように、第１実施形態の第１の端末装置５１の端末記憶手段６３と端末制御部６４の代わりに、処理側記憶手段としての端末記憶手段６３Ｂと端末制御部６４Ｂを設けた構成を有している。なお、第１〜第６の端末装置５１Ｂ〜５６Ｂは、同じ構成を有している。
端末記憶手段６３Ｂには、図２１に示すように、共有コンテンツ管理情報３５０と、コンテンツフォルダ６３０に格納されたコンテンツデータ３４０と、再生スケジュールデータ３４１と、第１の端末装置５１Ｂに対応するアップロード対象情報３４４Ａと、が記憶されている。
【００７４】
端末制御部６４Ｂは、各種プログラムから構成され、図５に示すように、第１実施形態の端末制御部６４の端末復旧制御部６７の代わりに、端末復旧制御部６７Ｂを設けた構成を有している。また、端末復旧制御部６７Ｂは、第２実施形態の端末復旧状況管理手段６７１Ａの代わりに、端末復旧状況管理手段６７１Ｂを設けた構成を有している。
端末復旧状況管理手段６７１Ｂは、サーバ装置３０Ｂからアップロード対象情報３４４Ａをダウンロードすると、端末記憶手段６３Ｂに記憶されているコンテンツデータ３４０のうち、アップロード対象情報３４４Ａに記録されたコンテンツデータ３４０を、アップロード対象データとして選択する。
【００７５】
｛広告配信システムの動作｝
次に、広告配信システムの動作について説明する。
図２２は、端末装置での復旧処理時の動作を示すフローチャートである。図２３は、サーバ装置でのアップロード対象情報の生成処理を示すフローチャートである。図２４および図２５は、サーバ装置での復旧処理時の動作を示すフローチャートである。
【００７６】
第１の端末装置５１Ｂの端末制御部６４Ｂは、図２２に示すように、ステップＳ１〜Ｓ４の処理をして、ステップＳ３において、復旧要請が返されたと判断した場合、復旧対応制御手段６７２Ａにて、ステップＳ８，Ｓ９，Ｓ６，Ｓ７の処理をする。さらに、端末復旧状況管理手段６７１Ｂは、サーバ装置３０Ｂからアップロード対象情報３４４Ａをダウンロード（ステップＳ８１）して、図８に示すステップＳ１２〜Ｓ１７の処理をする。このステップＳ１２〜Ｓ１７の処理により、アップロード対象情報３４４Ａで特定されるコンテンツデータ３４０が、アップロード対象データとしてサーバ装置３０Ｂにアップロードされる。
【００７７】
一方、サーバ装置３０Ｂのサーバ制御部３８Ｂは、アップロード対象情報３４４Ａの生成処理において、図２３に示すように、ステップＳ６１，Ｓ２７〜Ｓ２９の処理をする。復旧スケジュール作成手段４１３Ｂは、ステップＳ２７においてアップロードデータが共有コンテンツ管理情報３５０でないと判断した場合、または、ステップＳ２９において今回アップロードされた共有コンテンツ管理情報３５０のタイムスタンプが以前にアップロードされた共有コンテンツ管理情報３５０のものよりも古いと判断した場合、アップロード対象情報３４４Ａの生成処理を終了する。
また、復旧スケジュール作成手段４１３Ｂは、ステップＳ２８で復旧後初めて共有コンテンツ管理情報３５０がアップロードされたと判断した場合、または、ステップＳ２９において今回アップロードされた共有コンテンツ管理情報３５０のタイムスタンプが以前にアップロードされた共有コンテンツ管理情報３５０のものよりも新しいと判断した場合、今回の共有コンテンツ管理情報３５０をコンテンツアップロード管理データとして保存する（ステップＳ９１）。この後、復旧スケジュール作成手段４１３Ｂは、コンテンツアップロード管理データに基づき第１〜第６の端末装置５１Ｂ〜５６Ｂのそれぞれに配信するためのアップロード対象情報３４４Ａを生成して、サーバ記憶手段３３Ｂに記憶させる（ステップＳ９２）。
【００７８】
また、サーバ装置３０Ｂのサーバ制御部３８Ｂは、サーバ記憶手段３３Ｂの復旧処理時において、図２４に示すように、ステップＳ２２，Ｓ６３，Ｓ３３，Ｓ３４の処理をする。また、復旧蓄積制御手段４１２Ｂは、ステップＳ６３において、アップロード要求データが上述のステップＳ７の処理による再生スケジュールデータ３４１でないと判断した場合、アップロードの要求されたデータが上述のステップＳ１３の処理によるコンテンツデータ３４０であるか否かを判断する（ステップＳ６２）。そして、このステップＳ６２において、コンテンツデータ３４０であると判断した場合、図２４および図２５に示すように、ステップＳ３５〜Ｓ４０の処理をして、コンテンツデータ３４０をサーバ記憶手段３３Ｂに格納する。
【００７９】
一方、復旧蓄積制御手段４１２Ｂは、ステップＳ６２において、コンテンツデータ３４０でないと判断した場合、アップロードを要求した端末装置５０Ｂにアップロード対象情報３４４Ａをダウンロードさせ（ステップＳ１０１）、ステップＳ２２の処理をする。
また、復旧蓄積制御手段４１２Ｂは、ステップＳ４０の処理後、ステップＳ４２の処理をして、端末装置５０Ｂからアップロード終了通知を受けていないと判断した場合、ステップＳ２２の処理をし、アップロード終了通知を受けたと判断した場合、全ての端末装置５０Ｂのコンテンツデータ３４０と再生スケジュールデータ３４１がアップロードされたか否かを判断する（ステップＳ１０２）。
そして、ステップＳ１０２において、アップロードされていないと判断した場合、ステップＳ２２の処理をし、アップロードされたと判断した場合、復旧処理を終了する。
【００８０】
｛第３実施形態の作用効果｝
以上の第３実施形態によれば、上記第１実施形態の（１）、（３）〜（５）、第２実施形態の（７）と同様の作用効果に加えて、以下の作用効果が期待できる。
（８）サーバ装置３０Ｂは、障害発生後の復旧時に、端末装置５０Ｂに共有コンテンツ管理情報３５０をアップロードさせる。そして、この共有コンテンツ管理情報３５０に基づき生成したアップロード対象情報３４４Ａを端末装置５０Ｂにダウンロードさせ、アップロード対象情報３４４Ａで特定されたコンテンツデータ３４０をサーバ装置３０Ｂにアップロードさせる。
このため、サーバ装置３０Ｂは、各端末装置５０Ｂの帯域を有効活用して、コンテンツデータ３４０のアップロードを並行して実施できる。さらに、サーバ装置３０Ｂは、障害発生前にはアップロード対象情報３４４Ａを生成する必要が無く、処理負荷を低減できる。
【００８１】
［他の実施形態］
なお、本発明は前述の一実施形態に限定されるものではなく、本発明の目的を達成できる範囲での変形、改良などは本発明に含まれるものである。
【００８２】
すなわち、第１〜第３実施形態において、グループＡ，Ｂのグループ管理情報３５１を有する共有コンテンツ管理情報３５０を全ての端末装置５０，５０Ａ，５０Ｂに送信したが、グループＡに属する第１〜第３の端末装置５１〜５３，５１Ａ〜５３Ａ，５１Ｂ〜５３ＢにグループＡのグループ管理情報３５１のみを送信し、グループＢに属する第３〜第６の端末装置５３〜５６，５３Ａ〜５６Ａ，５３Ｂ〜５６ＢにグループＢのグループ管理情報３５１のみを送信してもよい。
【００８３】
さらに、第３実施形態において、復旧処理時にアップロード対象情報３４４Ａを端末装置５０Ｂにダウンロードさせるのではなく、端末装置５０Ｂからアップロードされた共有コンテンツ管理情報３５０に基づいて、復旧に必要なコンテンツデータ３４０を端末装置５０Ｂに要求して、アップロードさせてもよい。
【００８４】
また、第１〜第３実施形態において、サーバ記憶手段３３，３３Ａ，３３Ｂが交換された場合に限らず、サーバ記憶手段３３，３３Ａ，３３Ｂのコンテンツデータ３４０や再生スケジュールデータ３４１の一部が壊れたり意図せず削除された場合に、これらのデータを端末装置５０，５０Ａ，５０Ｂから取得してサーバ記憶手段３３，３３Ａ，３３Ｂに記憶させる復旧処理をしてもよい。
さらに、第１〜第３実施形態において、サーバ装置３０，３０Ａ，３０Ｂは、新規コンテンツ問い合わせポーリングが端末装置５０，５０Ａ，５０Ｂからなくても、全ての端末装置５０，５０Ａ，５０Ｂあるいは任意の端末装置５０，５０Ａ，５０Ｂに復旧を要請してもよい。
また、本発明を、アプリケーションソフトで作成された文書データ、図面データ、プレゼンテーションデータなどを配信するシステムの復旧に適用してもよい。
【００８５】
さらに、本発明のデータ処理装置としては、携帯型や設置型のパーソナルコンピュータ、携帯電話やＰＤＡ（Personal Digital Assistant）などの携帯端末装置、業務用インフォメーションや車内インフォメーションの表示装置を適用してもよい。
【００８６】
また、上述した各機能をプログラムとして構築したが、例えば回路基板などのハードウェアあるいは一つのＩＣ（Integrated Circuit）などの素子にて構成するなどしてもよく、いずれの形態としても利用できる。なお、プログラムや別途記録媒体から読み取らせる構成とすることにより、上述したように取扱が容易で、利用の拡大が容易に図れる。
【００８７】
その他、本発明の実施の際の具体的な構造および手順は、本発明の目的を達成できる範囲で他の構造などに適宜変更できる。
【００８８】
［実施形態の作用効果］
上記したように、広告配信システム１のサーバ装置３０は、端末装置５０の要求に応じてコンテンツデータ３４０をダウンロードさせるとともに、定期的に共有コンテンツ管理情報３５０をダウンロードさせる。そして、サーバ装置３０は、故障前のサーバ記憶手段３３に記憶されていたコンテンツデータ３４０を新しいサーバ記憶手段３３に記憶させる復旧処理が必要であることを認識すると、端末装置５０に共有コンテンツ管理情報３５０をアップロードさせ、この共有コンテンツ管理情報３５０で特定されるコンテンツデータ３４０を端末装置５０から取得して新しいサーバ記憶手段３３に記憶させる。
このため、例えばグループＡにおける再生対象のコンテンツデータ３４０を分割せずに、第１〜第３の端末装置５１〜５３へ配信するので、従来のようにコンテンツデータ３４０の分割処理を実施する必要がない。また、例えば第１の端末装置５１が故障した場合でも、第２，第３の端末装置５２，５３からグループＡの全てのコンテンツデータ３４０を取得して、新しいサーバ記憶手段３３に記憶させることができる。さらに、サーバ記憶手段３３での記憶状況を反映させた共有コンテンツ管理情報３５０に基づいてコンテンツデータ３４０を取得するので、復旧処理に不要な古いコンテンツデータ３４０がアップロードされることもない。よって、サーバ記憶手段３３の復旧を簡単な制御で適切に実施できる。
【産業上の利用可能性】
【００８９】
本発明は、データ配信装置、データ処理装置、データ処理システム、データ配信方法、および、データ処理方法として利用できる。
【符号の説明】
【００９０】
１，１Ａ，１Ｂ…データ処理システムとしての広告配信システム
２…ネットワーク
３０，３０Ａ，３０Ｂ…データ配信装置および第２のコンピュータとしてのサーバ装置
３３，３３Ａ，３３Ｂ…配信側記憶手段および復旧対象記憶手段としてのサーバ記憶手段
５１，５２，５３，５４，５５，５６，５１Ａ，５２Ａ，５３Ａ，５４Ａ，５５Ａ，５６Ａ，５１Ｂ，５２Ｂ，５３Ｂ，５４Ｂ，５５Ｂ，５６Ｂ…データ処理装置および第１のコンピュータとしての第１，第２，第３，第４，第５，第６の端末装置
６３，６３Ａ，６３Ｂ…処理側記憶手段としての端末記憶手段
３４０…配信データを構成するコンテンツデータ
３４１…配信データを構成する処理スケジュールデータとしての再生スケジュールデータ
３４４Ａ…送信対象情報としてのアップロード対象情報
３５０…配信データ管理情報としての共有コンテンツ管理情報
４０２…配信データ配信手段
４０３…管理情報配信手段
４０３Ａ…送信対象情報送信手段としても機能する管理情報配信手段
４１１…復旧状況情報生成手段としてのサーバ復旧状況管理手段
４１２，４１２Ａ，４１２Ｂ…配信側管理情報取得手段としても機能する記憶制御手段としての復旧蓄積制御手段
４１３Ｂ…送信対象情報送信手段としての復旧スケジュール作成手段
６６１…配信データ蓄積手段
６６２…処理側管理情報取得手段としての管理情報蓄積手段
６７１…復旧状況情報取得手段としての端末復旧状況管理手段
６７２，６７２Ａ…配信データ返信手段としての復旧対応制御手段
【図１】
2011039880.tif 000004
【図２】
2011039880.tif 000005
【図３】
2011039880.tif 000006
【図４】
2011039880.tif 000007
【図５】
2011039880.tif 000008
【図６】
2011039880.tif 000009
【図７】
2011039880.tif 000010
【図８】
2011039880.tif 000011
【図９】
2011039880.tif 000012
【図１０】
2011039880.tif 000013
【図１１】
2011039880.tif 000014
【図１２】
2011039880.tif 000015
【図１３】
2011039880.tif 000016
【図１４】
2011039880.tif 000017
【図１５】
2011039880.tif 000018
【図１６】
2011039880.tif 000019
【図１７】
2011039880.tif 000020
【図１８】
2011039880.tif 000021
【図１９】
2011039880.tif 000022
【図２０】
2011039880.tif 000023
【図２１】
2011039880.tif 000024
【図２２】
2011039880.tif 000025
【図２３】
2011039880.tif 000026
【図２４】
2011039880.tif 000027
【図２５】
2011039880.tif 000028
【手続補正書】
【提出日】平成23年7月19日(2011.7.19)
【手続補正１】
【補正対象書類名】特許請求の範囲
【補正対象項目名】全文
【補正方法】変更
【補正の内容】
【特許請求の範囲】
【請求項１】
配信データに含まれる広告用のコンテンツデータを再生可能な複数の端末装置にネットワークを介して接続され、配信側記憶手段に記憶された前記配信データを前記端末装置へ配信する広告配信装置であって、
前記配信側記憶手段の前記配信データを前記端末装置へ配信する配信データ配信手段と、
前記配信側記憶手段の前記配信データを特定可能な配信データ管理情報を前記端末装置へ配信する管理情報配信手段と、
前記配信側記憶手段または他の配信側記憶手段である復旧対象記憶手段に前記配信データ管理情報で特定可能な配信データを記憶させる必要があると判断すると、前記端末装置から前記配信データ管理情報を取得して、前記復旧対象記憶手段に記憶させる配信側管理情報取得手段と、
前記復旧対象記憶手段の配信データ管理情報に基づき特定される前記配信データを前記端末装置から取得して、前記復旧対象記憶手段に記憶させる記憶制御手段と、を具備し、
前記配信データ管理情報は、
前記コンテンツデータのコンテンツ名が記録されたコンテンツ名情報と、
前記配信データの配信先である端末装置の名称が記録された端末一覧情報と、
前記コンテンツ名情報と前記端末一覧情報とが生成あるいは更新された日時に関するタイムスタンプ情報とを有し、
前記配信側管理情報取得手段は、前記タイムスタンプ情報に基づいて、前記端末装置から取得した配信データ管理情報が前記復旧対象記憶手段の配信データ管理情報よりも新しいと判断すると、前記復旧対象記憶手段の配信データ管理情報を前記取得した配信データ管理情報に更新し、
前記記憶制御手段は、前記復旧対象記憶手段の配信データ管理情報に基づいて、前記コンテンツ名情報で特定されるコンテンツデータを含む配信データを、前記端末一覧情報で特定される端末装置から取得することを特徴とする広告配信装置。
【請求項２】
請求項１に記載の広告配信装置において、
前記復旧対象記憶手段における前記配信データの記憶状況に関する復旧状況情報を前記端末装置へ送信する復旧状況情報生成手段を具備し、
前記記憶制御手段は、前記復旧状況情報に基づいて、前記端末装置へ配信済みの前記配信データのうちの前記復旧対象記憶手段に記憶されていない前記配信データを前記端末装置から取得して、前記復旧対象記憶手段に記憶させることを特徴とする広告配信装置。
【請求項３】
請求項１に記載の広告配信装置において、
前記復旧対象記憶手段に前記配信データを記憶させる必要があると認識する前に、前記復旧対象記憶手段の前記配信データ管理情報で特定可能な前記配信データのうちの少なくともいずれか一つの前記配信データの送信を要求する送信対象情報を前記端末装置へ送信する送信対象情報送信手段を具備し、
前記記憶制御手段は、前記送信対象情報に基づき特定される前記配信データを前記端末装置から取得して、前記復旧対象記憶手段に記憶させることを特徴とする広告配信装置。
【請求項４】
請求項１に記載の広告配信装置において、
前記配信側管理情報取得手段での配信データ管理情報の更新処理が終了した後に、当該更新後の配信データ管理情報で特定可能な前記配信データのうちの少なくともいずれか一つの前記配信データの送信を要求する送信対象情報を、前記端末装置へ送信する送信対象情報送信手段を具備し、
前記記憶制御手段は、前記送信対象情報に基づき特定される前記配信データを前記端末装置から取得して、前記復旧対象記憶手段に記憶させることを特徴とする広告配信装置。
【請求項５】
請求項３または請求項４に記載の広告配信装置において、
前記配信データ配信手段は、前記複数の端末装置のそれぞれに対して複数の所定個数の前記配信データを配信し、
前記送信対象情報送信手段は、前記複数の端末装置に対して、前記所定個数未満の前記配信データの送信を要求するとともに当該要求に対応して前記所定個数の全ての配信データを前記記憶制御手段で取得可能な内容の前記送信対象情報を送信することを特徴とする広告配信装置。
【請求項６】
請求項１から請求項５のいずれかに記載の広告配信装置において、
前記複数の端末装置は、互いに異なる所定の前記コンテンツデータを再生対象とする複数のグループのうちの少なくともいずれか一つのグループに属し、
前記配信データ配信手段は、所定の前記グループに属する前記端末装置に対して当該グループでの再生対象のコンテンツデータを含む配信データのみを配信し、
前記管理情報配信手段は、前記配信側記憶手段に記憶されている全ての前記配信データと当該全ての配信データの配信先とを特定可能な前記配信データ管理情報を前記複数の端末装置へ配信することを特徴とする広告配信装置。
【請求項７】
（削除）
【請求項８】
請求項１から請求項６のいずれかに記載の広告配信装置において、
前記配信データは、前記端末装置における前記コンテンツデータの再生スケジュールデータを備えていることを特徴とする広告配信装置。
【請求項９】
配信側記憶手段に記憶された配信データを配信可能な広告配信装置にネットワークを介して接続され、前記配信データを記憶して処理する端末装置であって、
前記広告配信装置から前記配信データを取得して、処理側記憶手段に記憶させる配信データ蓄積手段と、
前記処理側記憶手段の配信データに含まれる広告用のコンテンツデータを再生する再生手段と、
前記広告配信装置から前記配信側記憶手段の前記配信データを特定可能な配信データ管理情報を取得して、前記処理側記憶手段に記憶させる処理側管理情報取得手段と、
前記配信側記憶手段または他の配信側記憶手段である復旧対象記憶手段に前記配信データ管理情報で特定可能な配信データを記憶させる必要がある場合に、前記処理側記憶手段の前記配信データ管理情報を前記広告配信装置へ返信する配信データ返信手段と、
前記広告配信装置から前記復旧対象記憶手段における前記配信データの記憶状況に関する復旧状況情報を取得する復旧状況情報取得手段と、
前記復旧状況情報に基づいて、前記処理側記憶手段の前記配信データのうちの前記復旧対象記憶手段に記憶されていない前記配信データを前記広告配信装置へ送信する復旧対応制御手段と、を具備し、
前記配信データ管理情報は、
前記コンテンツデータのコンテンツ名が記録されたコンテンツ名情報と、
前記配信データの配信先である端末装置の名称が記録された端末一覧情報と、
前記コンテンツ名情報と前記端末一覧情報とが生成あるいは更新された日時に関するタイムスタンプ情報とを有し、
前記復旧状況情報取得手段は、前記タイムスタンプ情報に基づく最新の配信データ管理情報に基づいて、前記復旧対象記憶手段の配信データの記憶状況に関する復旧状況情報を取得することを特徴とする端末装置。
【請求項１０】
配信データを記憶して処理可能な複数の端末装置と、
この複数の端末装置にネットワークを介して接続された請求項１に記載の広告配信装置と、を具備した広告配信システムであって、
前記端末装置は、
前記広告配信装置から前記配信データを取得して、処理側記憶手段に記憶させる配信データ蓄積手段と、
前記処理側記憶手段の配信データに含まれるコンテンツデータを再生する再生手段と、
前記広告配信装置から前記配信データ管理情報を取得して、前記処理側記憶手段に記憶させる処理側管理情報取得手段と、
前記復旧対象記憶手段に前記配信データ管理情報で特定可能な配信データを記憶させる必要がある場合に、前記処理側記憶手段の前記配信データ管理情報を前記広告配信装置へ送信する配信データ返信手段と、
前記処理側記憶手段の前記配信データを前記広告配信装置へ送信する復旧対応制御手段と、を備えていることを特徴とする広告配信システム。
【請求項１１】
複数の請求項９に記載の端末装置と、
この複数の端末装置にネットワークを介して接続された請求項２に記載の広告配信装置と、を具備したことを特徴とする広告配信システム。
【請求項１２】
複数の端末装置と、
この複数の端末装置にネットワークを介して接続された請求項３から請求項５のいずれかに記載の広告配信装置と、を具備した広告配信システムであって、
前記端末装置は、
前記広告配信装置から前記配信データを取得して、処理側記憶手段に記憶させる配信データ蓄積手段と、
前記処理側記憶手段の配信データに含まれるコンテンツデータを再生する再生手段と、
前記広告配信装置から前記配信データ管理情報を取得して、前記処理側記憶手段に記憶させる処理側管理情報取得手段と、
前記復旧対象記憶手段に前記配信データ管理情報で特定可能な配信データを記憶させる必要がある場合に、前記処理側記憶手段の前記配信データ管理情報を前記広告配信装置へ送信する配信データ返信手段と、
前記広告配信装置から前記送信対象情報を取得して、この送信対象情報で要求されている前記配信データを前記広告配信装置へ送信する復旧対応制御手段と、を備えていることを特徴とする広告配信システム。
【請求項１３】
配信データに含まれる広告用のコンテンツデータを再生可能な複数の端末装置にネットワークを介して接続されたコンピュータにより、配信側記憶手段に記憶された前記配信データを前記端末装置へ配信する広告配信方法であって、
前記コンピュータは、
前記配信側記憶手段の前記配信データを前記端末装置へ配信する配信データ配信工程と、
前記配信側記憶手段の前記配信データを特定可能な配信データ管理情報を前記端末装置へ配信する管理情報配信工程と、
前記配信側記憶手段または他の配信側記憶手段である復旧対象記憶手段に前記配信データ管理情報で特定可能な配信データを記憶させる必要があると判断すると、前記端末装置から前記配信データ管理情報を取得して、前記復旧対象記憶手段に記憶させる配信側管理情報取得工程と、
前記復旧対象記憶手段の配信データ管理情報に基づき特定される前記配信データを前記端末装置から取得して、前記復旧対象記憶手段に記憶させる記憶制御工程と、を実施し、
前記配信データ管理情報は、
前記コンテンツデータのコンテンツ名が記録されたコンテンツ名情報と、
前記配信データの配信先である端末装置の名称が記録された端末一覧情報と、
前記コンテンツ名情報と前記端末一覧情報とが生成あるいは更新された日時に関するタイムスタンプ情報とを有し、
前記配信側管理情報取得工程では、前記タイムスタンプ情報に基づいて、前記端末装置から取得した配信データ管理情報が前記復旧対象記憶手段の配信データ管理情報よりも新しいと判断すると、前記復旧対象記憶手段の配信データ管理情報を前記取得した配信データ管理情報に更新し、
前記記憶制御工程では、前記復旧対象記憶手段のデータ管理情報に基づいて、前記コンテンツ名情報で特定されるコンテンツデータを含む配信データを、前記端末一覧情報で特定される端末装置から取得することを特徴とする広告配信方法。
【請求項１４】
配信側記憶手段に記憶された配信データを配信可能な広告配信装置にネットワークを介して接続されたコンピュータにより、前記配信データを記憶して処理するデータ処理方法であって、
前記コンピュータは、
前記広告配信装置から前記配信データを取得して、処理側記憶手段に記憶させる配信データ蓄積工程と、
前記処理側記憶手段の配信データに含まれる広告用のコンテンツデータを再生する再生工程と、
前記広告配信装置から前記配信側記憶手段の前記配信データを特定可能な配信データ管理情報を取得して、前記処理側記憶手段に記憶させる処理側管理情報取得工程と、
前記配信側記憶手段または他の配信側記憶手段である復旧対象記憶手段に前記配信データ管理情報で特定可能な配信データを記憶させる必要がある場合に、前記処理側記憶手段の前記配信データ管理情報を前記広告配信装置へ返信する配信データ返信工程と、
前記広告配信装置から前記復旧対象記憶手段における前記配信データの記憶状況に関する復旧状況情報を取得する復旧状況情報取得工程と、
前記復旧状況情報に基づいて、前記処理側記憶手段の前記配信データのうちの前記復旧対象記憶手段に記憶されていない前記配信データを前記広告配信装置へ送信する復旧対応制御工程と、を実施し、
前記配信データ管理情報は、
前記コンテンツデータのコンテンツ名が記録されたコンテンツ名情報と、
前記配信データの配信先であるコンピュータの名称が記録された端末一覧情報と、
前記コンテンツ名情報と前記端末一覧情報とが生成あるいは更新された日時に関するタイムスタンプ情報とを有し、
前記復旧状況情報取得工程では、前記タイムスタンプ情報に基づく最新の配信データ管理情報に基づいて、前記復旧対象記憶手段に記憶された配信データの記憶状況に関する復旧状況情報を取得することを特徴とするデータ処理方法。
【請求項１５】
配信データを記憶して処理可能な複数の第１のコンピュータと、
この複数の第１のコンピュータにネットワークを介して接続された第２のコンピュータと、により、前記配信データを処理するデータ処理方法であって、
前記第２のコンピュータは、
前記配信側記憶手段の前記配信データを前記第１のコンピュータへ配信する配信データ配信工程と、
前記配信側記憶手段の前記配信データを特定可能な配信データ管理情報を前記第１のコンピュータへ配信する管理情報配信工程と、
前記配信側記憶手段または他の配信側記憶手段である復旧対象記憶手段に前記配信データ管理情報で特定可能な配信データを記憶させる必要があると判断すると、前記第１のコンピュータから前記配信データ管理情報を取得して、前記復旧対象記憶手段に記憶させる配信側管理情報取得工程と、
前記復旧対象記憶手段の配信データ管理情報に基づき特定される前記配信データを前記第１のコンピュータから取得して、前記復旧対象記憶手段に記憶させる記憶制御工程と、を実施し、
前記第１のコンピュータは、
前記第２のコンピュータから前記配信データを取得して、処理側記憶手段に記憶させる配信データ蓄積工程と、
前記処理側記憶手段に記憶された配信データに含まれる広告用のコンテンツデータを再生する再生工程と、
前記第２のコンピュータから前記配信データ管理情報を取得して、前記処理側記憶手段に記憶させる処理側管理情報取得工程と、
前記復旧対象記憶手段に前記配信データ管理情報で特定可能な配信データを記憶させる必要がある場合に、前記処理側記憶手段の前記配信データ管理情報を前記第２のコンピュータへ送信する配信データ返信工程と、
前記処理側記憶手段の前記配信データを前記第２のコンピュータへ送信する復旧対応制御工程と、を実施し、
前記配信データ管理情報は、
前記コンテンツデータのコンテンツ名が記録されたコンテンツ名情報と、
前記配信データの配信先である第１のコンピュータの名称が記録された端末一覧情報と、
前記コンテンツ名情報と前記端末一覧情報とが生成あるいは更新された日時に関するタイムスタンプ情報とを有し、
前記第２のコンピュータにおける前記配信側管理情報取得工程では、前記タイムスタンプ情報に基づいて、前記第１のコンピュータから取得した配信データ管理情報が前記復旧対象記憶手段の配信データ管理情報よりも新しいと判断すると、前記復旧対象記憶手段の配信データ管理情報を前記取得した配信データ管理情報に更新し、
前記記憶制御工程では、前記復旧対象記憶手段のデータ管理情報に基づいて、前記コンテンツ名情報で特定されるコンテンツデータを有する配信データを、前記端末一覧情報で特定される第１のコンピュータから取得することを特徴とするデータ処理方法。
【手続補正３】
【補正対象書類名】明細書
【補正対象項目名】０００１
【補正方法】変更
【補正の内容】
【０００１】
技術分野
［０００１］
本発明は、広告配信装置、端末装置、広告配信システム、広告配信方法、および、データ処理方法に関する。
背景技術
［０００２］
従来、サーバにより、クライアントにデータを送信して登録するクライアントサーバシステム構成が知られている（例えば、特許文献１参照）。
このクライアントサーバシステムのサーバは、管理端末からデータの登録が行われると、当該データを分割して各クライアントに登録する。そして、サーバは、ハードディスクが故障した場合、ハードディスクの修復後に、リストアコマンドを実行する。このリストアコマンドにより、サーバは、各クライアントに登録したデータを全て受信して、マージ処理をすることでデータを復旧させる。
先行技術文献
特許文献
［０００３］
特許文献１：特開平１０−２１４１６０号公報
発明の概要
発明が解決しようとする課題
［０００４］
しかしながら、特許文献１のような構成では、クライアントの数が変化すると、データの分割数も変化させる必要があり、この分割処理の制御が複雑になるという問題点がある。また、クライアントが一つでも故障している場合には、分割されたデータの一部を取得できないため、データを復旧できないという問題点がある。さらに、サーバの復旧に不要な古いデータもクライ
【手続補正４】
【補正対象書類名】明細書
【補正対象項目名】０００２
【補正方法】変更
【補正の内容】
【０００２】
アントから送られてくることも考えられ、適切に復旧できないおそれがある。
［０００５］
本発明は、配信側記憶手段の復旧を簡単な制御で適切に実施可能な広告配信装置、端末装置、広告配信システム、広告配信方法、および、データ処理方法を提供することを１つの目的とする。
課題を解決するための手段
［０００６］
本発明の広告配信装置は、配信データに含まれる広告用のコンテンツデータを再生可能な複数の端末装置にネットワークを介して接続され、配信側記憶手段に記憶された前記配信データを前記端末装置へ配信する広告配信装置であって、前記配信側記憶手段の前記配信データを前記端末装置へ配信する配信データ配信手段と、前記配信側記憶手段の前記配信データを特定可能な配信データ管理情報を前記端末装置へ配信する管理情報配信手段と、前記配信側記憶手段または他の配信側記憶手段である復旧対象記憶手段に前記配信データ管理情報で特定可能な配信データを記憶させる必要があると判断すると、前記端末装置から前記配信データ管理情報を取得して、前記復旧対象記憶手段に記憶させる配信側管理情報取得手段と、前記復旧対象記憶手段の配信データ管理情報に基づき特定される前記配信データを前記端末装置から取得して、前記復旧対象記憶手段に記憶させる記憶制御手段と、を具備し、前記配信データ管理情報は、前記コンテンツデータのコンテンツ名が記録されたコンテンツ名情報と、前記配信データの配信先である端末装置の名称が記録された端末一覧情報と、前記コンテンツ名情報と前記端末一覧情報とが生成あるいは更新された日時に関するタイムスタンプ情報とを有し、前記配信側管理情報取得手段は、前記タイムスタンプ情報に基づいて、前記端末装置から取得した配信データ管理情報が前記復旧対象記憶手段の配信データ管理情報よりも新しいと判断すると、前記復旧対象記憶手段の配信データ管理情報を前記取得した配信データ管理情報に更新し、前記記憶制御手段は、前記復旧対象記憶手段の配信データ管理情報に基づいて、前記コンテンツ名情報で特定されるコンテンツデータを含む配信データを、前記端末一覧情報で特定される端末装置から取得することを特徴とする。
［０００７］
本発明の端末装置は、配信側記憶手段に記憶された配信データを配信可能な広告配信装置にネットワークを介して接続され、前記配信データを記憶して処理する端末装置であって、前記広告配信装置から前記配信データを取得して、処理側記憶手段に記憶させる配信データ蓄積手段と、前記処理側記憶手段の配信データに含まれる広告用のコンテンツデータを再生する再生手段と、前記広告配信装置から前記配信側記憶手段の前記配信データを特定可能な配信データ管理情報を取得して、前記処理側記憶手段に記憶させる処理側管理情報取得手段と、前記配信側記憶手段または他の配信側記憶手段である復旧対象記憶手段に前記配信データ管理情報で特定可能な配信データを記憶させる必要がある場合に、前記処理側記憶手段の前記配信データ管理情報を前記広告配信装置へ返信する配信データ返信手段と、前記広告配信装置から前記復旧対象記憶手段における前記配信データの記憶状況に関する復旧状況情報を取得する復旧状況情報取得手段と、前記復旧状況情報に基づいて、前記処理側記憶手段の前記配信データのうちの前記復旧対象記憶手段に記憶されていない前記配信データを前記広告配信装置へ送信する復旧対応制御手段と、を具備し、前記配信データ管理情報は、前記コンテンツデータのコンテンツ名が記録されたコンテンツ名情報と、前記配信データの配信先である端末装置の名称が記録された端末一覧情報と、前記コンテンツ名情報と前記端末一覧情報とが生成あるいは更新された日時に関するタイムスタンプ情報とを有し、前記復旧状況情報取得手段は、前記タイムスタンプ情報に基づく最新の配信データ管理情報に基づいて、前記復旧対象記憶手段の配信データの記憶状況に関する復旧状況情報を取得することを特徴とする。
［０００８］
本発明の広告配信システムは、配信データを記憶して処理可能な複数の端末装置と、この複数の端末装置にネットワークを介して接続された上述の広告配信装置と、を具備した広告配信システムであって、前記端末装置は、前記広告配信装置から前記配信データを取得して、処理側記憶手段に記憶させる配信データ蓄積手段と、前記処理側記憶手段の配信データに含まれるコン
【手続補正５】
【補正対象書類名】明細書
【補正対象項目名】０００３
【補正方法】変更
【補正の内容】
【０００３】
テンツデータを再生する再生手段と、前記広告配信装置から前記配信データ管理情報を取得して、前記処理側記憶手段に記憶させる処理側管理情報取得手段と、前記復旧対象記憶手段に前記配信データ管理情報で特定可能な配信データを記憶させる必要がある場合に、前記処理側記憶手段の前記配信データ管理情報を前記広告配信装置へ送信する配信データ返信手段と、前記処理側記憶手段の前記配信データを前記広告配信装置へ送信する復旧対応制御手段と、を備えていることを特徴とする。
［０００９］
本発明の広告配信方法は、配信データに含まれる広告用のコンテンツデータを再生可能な複数の端末装置にネットワークを介して接続されたコンピュータにより、配信側記憶手段に記憶された前記配信データを前記端末装置へ配信する広告配信方法であって、前記コンピュータは、前記配信側記憶手段の前記配信データを前記端末装置へ配信する配信データ配信工程と、前記配信側記憶手段の前記配信データを特定可能な配信データ管理情報を前記端末装置へ配信する管理情報配信工程と、前記配信側記憶手段または他の配信側記憶手段である復旧対象記憶手段に前記配信データ管理情報で特定可能な配信データを記憶させる必要があると判断すると、前記端末装置から前記配信データ管理情報を取得して、前記復旧対象記憶手段に記憶させる配信側管理情報取得工程と、前記復旧対象記憶手段の配信データ管理情報に基づき特定される前記配信データを前記端末装置から取得して、前記復旧対象記憶手段に記憶させる記憶制御工程と、を実施し、前記配信データ管理情報は、前記コンテンツデータのコンテンツ名が記録されたコンテンツ名情報と、前記配信データの配信先である端末装置の名称が記録された端末一覧情報と、前記コンテンツ名情報と前記端末一覧情報とが生成あるいは更新された日時に関するタイムスタンプ情報とを有し、前記配信側管理情報取得工程では、前記タイムスタンプ情報に基づいて、前記端末装置から取得した配信データ管理情報が前記復旧対象記憶手段の配信データ管理情報よりも新しいと判断すると、前記復旧対象記憶手段の配信データ管理情報を前記取得した配信データ管理情報に更新し、前記記憶制御工程では、前記復旧対象記憶手段のデータ
【手続補正６】
【補正対象書類名】明細書
【補正対象項目名】０００４
【補正方法】変更
【補正の内容】
【０００４】
管理情報に基づいて、前記コンテンツ名情報で特定されるコンテンツデータを含む配信データを、前記端末一覧情報で特定される端末装置から取得することを特徴とする。
［００１０］
本発明のデータ処理方法は、配信側記憶手段に記憶された配信データを配信可能な広告配信装置にネットワークを介して接続されたコンピュータにより、前記配信データを記憶して処理するデータ処理方法であって、前記コンピュータは、前記広告配信装置から前記配信データを取得して、処理側記憶手段に記憶させる配信データ蓄積工程と、前記処理側記憶手段の配信データに含まれる広告用のコンテンツデータを再生する再生工程と、前記広告配信装置から前記配信側記憶手段の前記配信データを特定可能な配信データ管理情報を取得して、前記処理側記憶手段に記憶させる処理側管理情報取得工程と、前記配信側記憶手段または他の配信側記憶手段である復旧対象記憶手段に前記配信データ管理情報で特定可能な配信データを記憶させる必要がある場合に、前記処理側記憶手段の前記配信データ管理情報を前記広告配信装置へ返信する配信データ返信工程と、前記広告配信装置から前記復旧対象記憶手段における前記配信データの記憶状況に関する復旧状況情報を取得する復旧状況情報取得工程と、前記復旧状況情報に基づいて、前記処理側記憶手段の前記配信データのうちの前記復旧対象記憶手段に記憶されていない前記配信データを前記広告配信装置へ送信する復旧対応制御工程と、を実施し、前記配信データ管理情報は、前記コンテンツデータのコンテンツ名が記録されたコンテンツ名情報と、前記配信データの配信先であるコンピュータの名称が記録された端末一覧情報と、前記コンテンツ名情報と前記端末一覧情報とが生成あるいは更新された日時に関するタイムスタンプ情報とを有し、前記復旧状況情報取得工程では、前記タイムスタンプ情報に基づく最新の配信データ管理情報に基づいて、前記復旧対象記憶手段に記憶された配信データの記憶状況に関する復旧状況情報を取得することを特徴とする。
［００１１］
本発明のデータ処理方法は、配信データを記憶して処理可能な複数の第１のコンピュータと、この複数の第１のコンピュータにネットワークを介して接続された第２のコンピュータと、により、前記配信データを処理するデータ処理方法であって、前記第２のコンピュータは、前記配信側記憶手段の前記配信データを前記第１のコンピュータへ配信する配信データ配信工程と、前記配信側記憶手段の前記配信データを特定可能な配信データ管理情報を前記第１のコンピュータへ配信する管理情報配信工程と、前記配信側記憶手段または他の配信側記憶手段である復旧対象記憶手段に前記配信データ管理情報で特定可能な配信データを記憶させる必要があると判断すると、前記第１のコンピュータから前記配信データ管理情報を取得して、前記復旧対象記憶手段に記憶させる配信側管理情報取得工程と、前記復旧対象記憶手段の配信データ管理情報に基づき特定される前記配信データを前記第１のコンピュータから取得して、前記復旧対象記憶手段に記憶させる記憶制御工程と、を実施し、前記第１のコンピュータは、前記第２のコンピュータから前記配信データを取得して、処理側記憶手段に記憶させる配信データ蓄積工程と、前記処理側記憶手段に記憶された配信データに含まれる広告用のコンテンツデータを再生する再生工程と、前記第２のコンピュータから前記配信データ管理情報を取得して、前記処理側記憶手段に記憶させる処理側管理情報取得工程と、前記復旧対象記憶手段に前記配信データ管理情報で特定可能な配信データを記憶させる必要がある場合に、前記処理側記憶手段の前記配信データ管理情報を前記第２のコンピュータへ送信する配信データ返信工程と、前記処理側記憶手段の前記配信データを前記第２のコンピュータへ送信する復旧対応制御工程と、を実施し、前記配信データ管理情報は、前記コンテンツデータのコンテンツ名が記録されたコンテンツ名情報と、前記配信データの配信先である第１のコンピュータの名称が記録された端末一覧情報と、前記コンテンツ名情報と前記端末一覧情報とが生成あるいは更新された日時に関するタイムスタンプ情報とを有し、前記第２のコンピュータにおける前記配信側管理情報取得工程では、前記タイムスタンプ情報に基づいて、前記第１のコンピュータから取得した配信データ管理情報が前記復旧対象記憶手段の配信データ管理情報よりも新しいと判断すると、前記復旧対象記憶手段の配信デ
【手続補正７】
【補正対象書類名】明細書
【補正対象項目名】０００５
【補正方法】変更
【補正の内容】
【０００５】
ータ管理情報を前記取得した配信データ管理情報に更新し、前記記憶制御工程では、前記復旧対象記憶手段のデータ管理情報に基づいて、前記コンテンツ名情報で特定されるコンテンツデータを有する配信データを、前記端末一覧情報で特定される第１のコンピュータから取得することを特徴とする。
図面の簡単な説明
［００１２］
［図１］本発明の第１，第２，第３実施形態に係る広告配信システムのブロック図である。
［図２］前記第１実施形態におけるサーバ装置のブロック図である。
［図３］前記第１実施形態におけるサーバ記憶手段の記憶状況を示す模式図である。
［図４］前記第１〜第３実施形態における共有コンテンツ管理情報の構成を示す模式図である。
［図５］前記第１〜第３実施形態における端末装置のブロック図である
［図６］前記第１実施形態における端末記憶手段の記憶状況を示す模式図である。
［図７］前記第１実施形態における端末装置での復旧処理時の動作を示すフローチャートである。
［図８］前記第１〜第３実施形態における端末装置での復旧処理時の動作を示す
【手続補正８】
【補正対象書類名】明細書
【補正対象項目名】０００７
【補正方法】変更
【補正の内容】
【０００７】
成処理を示すフローチャートである。
［図２４］前記第３実施形態におけるサーバ装置での復旧処理時の動作を示すフローチャートである。
［図２５］前記第３実施形態におけるサーバ装置での復旧処理時の動作を示すフローチャートである。
発明を実施するための形態
［００１３］
以下、本発明の第１〜第３実施形態について説明する。なお、第１〜第３実施形態では、サーバ装置から配信されたコンテンツを端末装置で再生するとともに、サーバ装置のサーバ記憶手段が故障した場合に、故障前のサーバ記憶手段に記憶されていた各種データを端末装置から取得して新しいサーバ記憶手段に記憶させる構成を例示して説明する。なお、以下において、故障前のサーバ記憶手段に記憶されていた各種データを端末装置から取得して新しいサーバ記憶手段に記憶させる処理を、サーバ記憶手段の復旧処理と称す。
［００１４］
［第１実施形態］
まず、本発明の第１実施形態について説明する。
図１は、本発明の第１，第２，第３実施形態に係る広告配信システムのブロック図である。図２は、サーバ装置のブロック図である。図３は、サーバ記憶手段の記憶状況を示す模式図である。図４は、共有コンテンツ管理情報の構成を示す模式図である。図５は、端末装置のブロック図である。図６は、端末記憶手段の記憶状況を示す模式図である。
［００１５］
｛広告配信システムの構成｝
まず、広告配信システムの構成について説明する。
図１において、広告配信システム１は、ネットワーク２と、広告配信装置としてのサーバ装置３０と、第１，第２，第３，第４，第５，第６の端末装置５１，５２，５３，５４，５５，５６と、を備えている。
ここで、第１〜第３の端末装置５１〜５３は、広告用のコンテンツＡａ，
【手続補正９】
【補正対象書類名】明細書
【補正対象項目名】００２２
【補正方法】変更
【補正の内容】
【００２２】
［００４９］
｛広告配信システムの構成｝
まず、広告配信システムの構成について説明する。
図１において、広告配信システム１Ａは、ネットワーク２と、広告配信装置としてのサーバ装置３０Ａと、第１〜第６の端末装置５１Ａ〜５６Ａと、を備えている。
なお、以下において、第１〜第６の端末装置５１Ａ〜５６Ａをまとめて表現する場合には、端末装置５０Ａと表現する。
［００５０］
サーバ装置３０Ａは、例えばコンピュータであり、図１２に示すように、第１実施形態のサーバ装置３０のサーバ記憶手段３３とサーバ制御部３８の代わりに、配信側記憶手段および復旧対象記憶手段としてのサーバ記憶手段３３Ａとサーバ制御部３８Ａを設けた構成を有している。
［００５１］
サーバ記憶手段３３Ａには、図１３に示すように、共有コンテンツ管理情報３５０と、コンテンツデータ３４０を格納可能なグループ用フォルダ３３０と、端末装置用フォルダ３３２と、が記憶されている。また、第１〜第６の端末装置５１Ａ〜５６Ａに対応する端末装置用フォルダ３３２には、再生スケジュールデータ３４１と、復旧対応用管理情報３４３Ａと、が格納されている。復旧対応用管理情報３４３Ａは、図１４〜図１６に示すように、送信対象情報としてのアップロード対象情報３４４Ａと、共有コンテンツ管理情報３５０と、を備えている。アップロード対象情報３４４Ａには、第１〜第６の端末装置５１Ａ〜５６Ａでダウンロード済みのコンテンツデータ３４０のうち、サーバ装置３０Ａにアップロードすべきコンテンツデータ３４０の名称が記録されている。例えば、第１の端末装置５１Ａに対応するアップロード対象情報３４４Ａには、図１４に示すようにコンテンツＡａ，Ａｂの名称が記録されている。また、第２〜第６の端末装置５２Ａ〜５６Ａのアップロード対象情報３４４Ａには、以下の表１に示すようなコンテンツの名称がそれぞれ記録されている。
［００５２］
【手続補正１０】
【補正対象書類名】明細書
【補正対象項目名】００２９
【補正方法】変更
【補正の内容】
【００２９】
略化を図れ、復旧処理を迅速にできる。
［００６６］
（７）サーバ装置３０Ａは、グループＡに属する３個のコンテンツデータ３４０のうちの２個の送信を要求し、かつ、この要求の内容が異なるアップロード対象情報３４４ＡをグループＡの第１〜第３の端末装置５１Ａ〜５３Ａに対して送信する。
このため、例えば第１の端末装置５１ＡでグループＡに属するコンテンツＡａ，Ａｂのコンテンツデータ３４０をアップロードしている間に、第１の端末装置５１Ａでのアップロード対象でないコンテンツＡｃのコンテンツデータ３４０を第２の端末装置５２Ａでアップロードすることができ、復旧の効率化を図ることができる。さらに、第１〜第３の端末装置５１Ａ〜５３Ａは、多くても２個のコンテンツデータ３４０をアップロードするだけでよいので、第１〜第３の端末装置５１Ａ〜５３Ａの処理負荷を最小限に抑えることができる。
［００６７］
［第３実施形態］
次に、本発明の第３実施形態について説明する。なお、第１，第２実施形態と同一の構成や同一の動作については、同一の符号を付して説明を適宜省略する。また、第１実施形態と類似する処理をする構成については、同一名称を付して説明を簡略にする。
図１９は、サーバ装置のブロック図である。図２０は、サーバ記憶手段の記憶状況を示す模式図である。図２１は、端末記憶手段の記憶状況を示す模式図である。
［００６８］
｛広告配信システムの構成｝
まず、広告配信システムの構成について説明する。
図１において、広告配信システム１Ｂは、ネットワーク２と、広告配信装置としてのサーバ装置３０Ｂと、第１〜第６の端末装置５１Ｂ〜５６Ｂと、を備えている。なお、以下において、第１〜第６の端末装置５１Ｂ〜５６Ｂをまとめて表現する場合には、端末装置５０Ｂと表現する。
【手続補正１１】
【補正対象書類名】明細書
【補正対象項目名】００３５
【補正方法】変更
【補正の内容】
【００３５】
テンツデータ３４０や再生スケジュールデータ３４１の一部が壊れたり意図せず削除された場合に、これらのデータを端末装置５０，５０Ａ，５０Ｂから取得してサーバ記憶手段３３，３３Ａ，３３Ｂに記憶させる復旧処理をしてもよい。
さらに、第１〜第３実施形態において、サーバ装置３０，３０Ａ，３０Ｂは、新規コンテンツ問い合わせポーリングが端末装置５０，５０Ａ，５０Ｂからなくても、全ての端末装置５０，５０Ａ，５０Ｂあるいは任意の端末装置５０，５０Ａ，５０Ｂに復旧を要請してもよい。
また、本発明を、アプリケーションソフトで作成された文書データ、図面データ、プレゼンテーションデータなどを配信するシステムの復旧に適用してもよい。
［００８５］
さらに、本発明の端末装置としては、携帯型や設置型のパーソナルコンピュータ、携帯電話やＰＤＡ（Ｐｅｒｓｏｎａｌ  Ｄｉｇｉｔａｌ  Ａｓｓｉｓｔａｎｔ）などの携帯端末装置、業務用インフォメーションや車内インフォメーションの表示装置を適用してもよい。
［００８６］
また、上述した各機能をプログラムとして構築したが、例えば回路基板などのハードウェアあるいは一つのＩＣ（Ｉｎｔｅｇｒａｔｅｄ  Ｃｉｒｃｕｉｔ）などの素子にて構成するなどしてもよく、いずれの形態としても利用できる。なお、プログラムや別途記録媒体から読み取らせる構成とすることにより、上述したように取扱が容易で、利用の拡大が容易に図れる。
［００８７］
その他、本発明の実施の際の具体的な構造および手順は、本発明の目的を達成できる範囲で他の構造などに適宜変更できる。
［００８８］
［実施形態の作用効果］
上記したように、広告配信システム１のサーバ装置３０は、端末装置５０の要求に応じてコンテンツデータ３４０をダウンロードさせるとともに、定期的に共有コンテンツ管理情報３５０をダウンロードさせる。そして、サーバ装置３０は、故障前のサーバ記憶手段３３に記憶されていたコンテンツデータ３４０を新しいサーバ記憶手段３３に記憶させる復旧処理が必要である
【手続補正１２】
【補正対象書類名】明細書
【補正対象項目名】００３６
【補正方法】変更
【補正の内容】
【００３６】
ことを認識すると、端末装置５０に共有コンテンツ管理情報３５０をアップロードさせ、この共有コンテンツ管理情報３５０で特定されるコンテンツデータ３４０を端末装置５０から取得して新しいサーバ記憶手段３３に記憶させる。
このため、例えばグループＡにおける再生対象のコンテンツデータ３４０を分割せずに、第１〜第３の端末装置５１〜５３へ配信するので、従来のようにコンテンツデータ３４０の分割処理を実施する必要がない。また、例えば第１の端末装置５１が故障した場合でも、第２，第３の端末装置５２，５３からグループＡの全てのコンテンツデータ３４０を取得して、新しいサーバ記憶手段３３に記憶させることができる。さらに、サーバ記憶手段３３での記憶状況を反映させた共有コンテンツ管理情報３５０に基づいてコンテンツデータ３４０を取得するので、復旧処理に不要な古いコンテンツデータ３４０がアップロードされることもない。よって、サーバ記憶手段３３の復旧を簡単な制御で適切に実施できる。
産業上の利用可能性
［００８９］
本発明は、広告配信装置、端末装置、広告配信システム、広告配信方法、および、データ処理方法として利用できる。
符号の説明
［００９０］
１，１Ａ，１Ｂ…広告配信システム
２…ネットワーク
３０，３０Ａ，３０Ｂ…広告配信装置および第２のコンピュータとしてのサーバ装置
３３，３３Ａ，３３Ｂ…配信側記憶手段および復旧対象記憶手段としてのサーバ記憶手段
５１，５２，５３，５４，５５，５６，５１Ａ，５２Ａ，５３Ａ，５４Ａ，５５Ａ，５６Ａ，５１Ｂ，５２Ｂ，５３Ｂ，５４Ｂ，５５Ｂ，５６Ｂ…第１のコンピュータとしての第１，第２，第３，第４，第５，第６の端末装置
【国際調査報告】
2011039880.tif 000029
2011039880.tif 000030
2011039880.tif 000031
2011039880.tif 000032